(57)【特許請求の範囲】
【請求項１】
ユーザが携帯し、当該ユーザに質問として出題されたクイズの正答を発行の条件とする電子クーポンの獲得に使用する端末装置と、前記端末装置とインターネットを介したデータ通信が可能なサーバ装置とを具備するクーポン配布システムによる広告配信方法であって、
前記サーバ装置の記憶部は、
前記ユーザに出題される各クイズについて、当該クイズを識別するクイズＩＤ、当該クイズの出題者である広告主を識別する広告主ＩＤ、当該クイズの質問を示す質問データ、当該クイズの正答を示す正答データ、及び、当該クイズに関する商品、サービス、又は企業の詳しい案内を示す案内データを格納したデータレコードの集まりであるクイズマスターテーブルと、
前記ユーザにクイズの正答を条件として発行される各電子クーポンについて、当該電子クーポンの発行に伴い出題されるものとして不適当なクイズのクイズＩＤ又は当該電子クーポンの発行に伴い出題されるクイズの広告主として不適当な広告主の広告主ＩＤである禁忌ＩＤを格納したデータレコードの集まりであるクーポンマスターテーブルと
を記憶し、
前記サーバ装置が、所定の特典の付与を示す電子的なアイテムである電子クーポンを１以上記憶する第１のステップと、
前記サーバ装置が、質問を示す質問データと当該質問に対する正答を示す正答データとの組である質問正答データを複数、記憶する第２のステップと、
前記端末装置が前記サーバ装置に対し、前記サーバ装置に記憶されている前記１以上の電子クーポンのうちの一の電子クーポンの要求を示すクーポン要求データを送信する第３のステップと、
前記サーバ装置が、前記クーポン要求データに応じて、前記複数の質問正答データの中から偶然性を伴う所定の手順に従い一の質問正答データを選択する第４のステップと、
前記サーバ装置が、前記選択した一の質問正答データに含まれる一の質問データを前記端末装置に送信する第５のステップと、
前記端末装置が、前記サーバ装置から送信されてくる前記一の質問データにより示される質問を前記端末装置のユーザに通知する第６のステップと、
前記端末装置が、前記ユーザによる前記端末装置に対する操作に応じて、前記一の質問データにより示される質問に対する前記ユーザの回答を示す回答データを生成する第７のステップと、
前記端末装置が、前記回答データを前記サーバ装置に送信する第８のステップと、
前記サーバ装置が、前記回答データと前記一の質問正答データに含まれる一の正答データとを照合する第９のステップと、
前記サーバ装置が、前記照合において前記回答データと前記一の正答データとが一致すると判定した場合に限り、前記端末装置に対し前記一の電子クーポンを送信する第１０のステップと
を備え、
前記第４のステップでは、
前記サーバ装置は、前記クイズマスターテーブルの各データレコードのうち、前記クーポン要求データの送信元の前記端末装置に既に出題したクイズのクイズＩＤ以外のクイズＩＤを格納したデータレコードを選択候補とし、前記クイズマスターテーブルにおける前記選択候補のデータレコードの中からランダムにデータレコードを１つ選択し、選択したデータレコードにおける質問データと正答データの組を前記一の質問正答データとして選択し、
更に、
前記第４のステップでは、
前記サーバ装置は、
前記クイズマスターテーブルの各データレコードのうち、前記クーポンマスターテーブルに格納されている禁忌ＩＤと同じクイズＩＤ若しくは広告主ＩＤを格納しているデータレコードについては、前記選択候補から除外する
ことを特徴とする広告配信方法。
【請求項２】
ユーザが携帯し、当該ユーザに質問として出題されたクイズの正答を発行の条件とする電子クーポンの獲得に使用する端末装置と、前記端末装置とインターネットを介したデータ通信が可能なサーバ装置とを具備するクーポン配布システムによる広告配信方法であって、
前記サーバ装置の記憶部は、
前記ユーザに出題される各クイズについて、当該クイズを識別するクイズＩＤ、当該クイズの出題者である広告主を識別する広告主ＩＤ、当該クイズの質問を示す質問データ、当該クイズの正答を示す正答データ、及び、当該クイズに関する商品、サービス、又は企業の詳しい案内を示す案内データを格納したデータレコードの集まりであるクイズマスターテーブルと、
前記ユーザにクイズの正答を条件として発行される各電子クーポンについて、当該電子クーポンの発行に伴い出題されるものとして不適当なクイズのクイズＩＤ又は当該電子クーポンの発行に伴い出題されるクイズの広告主として不適当な広告主の広告主ＩＤである禁忌ＩＤを格納したデータレコードの集まりであるクーポンマスターテーブルと
を記憶し、
前記サーバ装置が、所定の特典の付与を示す電子的なアイテムである電子クーポンを１以上記憶する第１のステップと、
前記サーバ装置が、質問を示す質問データと当該質問に対する正答を示す正答データとの組である質問正答データを複数、記憶する第２のステップと、
前記端末装置が前記サーバ装置に対し、前記サーバ装置に記憶されている前記１以上の電子クーポンのうちの一の電子クーポンの要求を示すクーポン要求データを送信する第３のステップと、
前記サーバ装置が、前記クーポン要求データに応じて、前記複数の質問正答データの中から偶然性を伴う所定の手順に従い一の質問正答データを選択する第４のステップと、
前記サーバ装置が、前記選択した一の質問正答データに含まれる一の質問データを前記端末装置に送信する第５のステップと、
前記端末装置が、前記サーバ装置から送信されてくる前記一の質問データにより示される質問を前記端末装置のユーザに通知する第６のステップと、
前記端末装置が、前記ユーザによる前記端末装置に対する操作に応じて、前記一の質問データにより示される質問に対する前記ユーザの回答を示す回答データを生成する第７のステップと、
前記端末装置が、前記回答データを前記サーバ装置に送信する第８のステップと、
前記サーバ装置が、前記回答データと前記一の質問正答データに含まれる一の正答データとを照合する第９のステップと、
前記サーバ装置が、前記照合において前記回答データと前記一の正答データとが一致すると判定した場合に限り、前記一の電子クーポンを前記端末装置のユーザを識別するユーザ識別データに対応付ける第１０のステップと
を備え、
前記第４のステップでは、
前記サーバ装置は、前記クイズマスターテーブルの各データレコードのうち、前記クーポン要求データの送信元の前記端末装置に既に出題したクイズのクイズＩＤ以外のクイズＩＤを格納したデータレコードを選択候補とし、前記クイズマスターテーブルにおける前記選択候補のデータレコードの中からランダムにデータレコードを１つ選択し、選択したデータレコードにおける質問データと正答データの組を前記一の質問正答データとして選択し、
更に、
前記第４のステップでは、
前記サーバ装置は、
前記クイズマスターテーブルの各データレコードのうち、前記クーポンマスターテーブルに格納されている禁忌ＩＤと同じクイズＩＤ若しくは広告主ＩＤを格納しているデータレコードについては、前記選択候補から除外する
ことを特徴とする広告配信方法。
【請求項３】
ユーザが携帯し、当該ユーザに質問として出題されたクイズの正答を発行の条件とする電子クーポンの獲得に使用する端末装置と、前記端末装置とインターネットを介したデータ通信が可能なサーバ装置とを具備するクーポン配布システムによる広告配信方法であって、
前記サーバ装置の記憶部は、
前記ユーザに出題される各クイズについて、当該クイズを識別するクイズＩＤ、当該クイズの出題者である広告主を識別する広告主ＩＤ、当該クイズの質問を示す質問データ、当該クイズの正答を示す正答データ、及び、当該クイズに関する商品、サービス、又は企業の詳しい案内を示す案内データを格納したデータレコードの集まりであるクイズマスターテーブルと、
前記ユーザにクイズの正答を条件として発行される各電子クーポンについて、当該電子クーポンの発行に伴い出題されるものとして不適当なクイズのクイズＩＤ又は当該電子クーポンの発行に伴い出題されるクイズの広告主として不適当な広告主の広告主ＩＤである禁忌ＩＤを格納したデータレコードの集まりであるクーポンマスターテーブルと
を記憶し、
前記サーバ装置が、所定の特典の付与を示す電子的なアイテムである電子クーポンを１以上記憶する第１のステップと、
前記サーバ装置が、質問を示す質問データと当該質問に対する正答を示す正答データとの組である質問正答データを複数、記憶する第２のステップと、
前記端末装置が前記サーバ装置に対し、前記サーバ装置に記憶されている前記１以上の電子クーポンのうちの一の電子クーポンの要求を示すクーポン要求データを送信する第３のステップと、
前記サーバ装置が、前記クーポン要求データに応じて、前記複数の質問正答データの中から偶然性を伴う所定の手順に従い一の質問正答データを選択する第４のステップと、
前記サーバ装置が、前記選択した一の質問正答データを前記端末装置に送信する第５のステップと、
前記端末装置が、前記サーバ装置から送信されてくる前記一の質問正答データに含まれる一の質問データにより示される質問を前記端末装置のユーザに通知する第６のステップと、
前記端末装置が、前記ユーザによる前記端末装置に対する操作に応じて、前記一の質問データにより示される質問に対する前記ユーザの回答を示す回答データを生成する第７のステップと、
前記端末装置が、前記回答データと前記一の質問正答データに含まれる一の正答データとを照合する第８のステップと、
前記端末装置が、前記照合において前記回答データと前記一の正答データとが一致すると判定した場合に限り、前記ユーザにより正答が入力されたことを通知する正答通知データを前記サーバ装置に送信する第９のステップと、
前記サーバ装置が、前記正答通知データに応じて、前記端末装置に対し前記一の電子クーポンを送信する第１０のステップと
を備え、
前記第４のステップでは、
前記サーバ装置は、前記クイズマスターテーブルの各データレコードのうち、前記クーポン要求データの送信元の前記端末装置に既に出題したクイズのクイズＩＤ以外のクイズＩＤを格納したデータレコードを選択候補とし、前記クイズマスターテーブルにおける前記選択候補のデータレコードの中からランダムにデータレコードを１つ選択し、選択したデータレコードにおける質問データと正答データの組を前記一の質問正答データとして選択し、
更に、
前記第４のステップでは、
前記サーバ装置は、
前記クイズマスターテーブルの各データレコードのうち、前記クーポンマスターテーブルに格納されている禁忌ＩＤと同じクイズＩＤ若しくは広告主ＩＤを格納しているデータレコードについては、前記選択候補から除外する
ことを特徴とする広告配信方法。
【請求項４】
ユーザが携帯し、当該ユーザに質問として出題されたクイズの正答を発行の条件とする電子クーポンの獲得に使用する端末装置と、前記端末装置とインターネットを介したデータ通信が可能なサーバ装置とを具備するクーポン配布システムによる広告配信方法であって、
前記サーバ装置の記憶部は、
前記ユーザに出題される各クイズについて、当該クイズを識別するクイズＩＤ、当該クイズの出題者である広告主を識別する広告主ＩＤ、当該クイズの質問を示す質問データ、当該クイズの正答を示す正答データ、及び、当該クイズに関する商品、サービス、又は企業の詳しい案内を示す案内データを格納したデータレコードの集まりであるクイズマスターテーブルと、
前記ユーザにクイズの正答を条件として発行される各電子クーポンについて、当該電子クーポンの発行に伴い出題されるものとして不適当なクイズのクイズＩＤ又は当該電子クーポンの発行に伴い出題されるクイズの広告主として不適当な広告主の広告主ＩＤである禁忌ＩＤを格納したデータレコードの集まりであるクーポンマスターテーブルと
を記憶し、
前記サーバ装置が、所定の特典の付与を示す電子的なアイテムである電子クーポンを１以上記憶する第１のステップと、
前記サーバ装置が、質問を示す質問データと当該質問に対する正答を示す正答データとの組である質問正答データを複数、記憶する第２のステップと、
前記端末装置が前記サーバ装置に対し、前記サーバ装置に記憶されている前記１以上の電子クーポンのうちの一の電子クーポンの要求を示すクーポン要求データを送信する第３のステップと、
前記サーバ装置が、前記クーポン要求データに応じて、前記複数の質問正答データの中から偶然性を伴う所定の手順に従い一の質問正答データを選択する第４のステップと、
前記サーバ装置が、前記選択した一の質問正答データを前記端末装置に送信する第５のステップと、
前記端末装置が、前記サーバ装置から送信されてくる前記一の質問正答データに含まれる一の質問データにより示される質問を前記端末装置のユーザに通知する第６のステップと、
前記端末装置が、前記ユーザによる前記端末装置に対する操作に応じて、前記一の質問データにより示される質問に対する前記ユーザの回答を示す回答データを生成する第７のステップと、
前記端末装置が、前記回答データと前記一の質問正答データに含まれる一の正答データとを照合する第８のステップと、
前記端末装置が、前記照合において前記回答データと前記一の正答データとが一致すると判定した場合に限り、前記ユーザにより正答が入力されたことを通知する正答通知データを前記サーバ装置に送信する第９のステップと、
前記サーバ装置が、前記正答通知データに応じて、前記一の電子クーポンを前記端末装置のユーザを識別するユーザ識別データに対応付ける第１０のステップと
を備え、
前記第４のステップでは、
前記サーバ装置は、前記クイズマスターテーブルの各データレコードのうち、前記クーポン要求データの送信元の前記端末装置に既に出題したクイズのクイズＩＤ以外のクイズＩＤを格納したデータレコードを選択候補とし、前記クイズマスターテーブルにおける前記選択候補のデータレコードの中からランダムにデータレコードを１つ選択し、選択したデータレコードにおける質問データと正答データの組を前記一の質問正答データとして選択し、
更に、
前記第４のステップでは、
前記サーバ装置は、
前記クイズマスターテーブルの各データレコードのうち、前記クーポンマスターテーブルに格納されている禁忌ＩＤと同じクイズＩＤ若しくは広告主ＩＤを格納しているデータレコードについては、前記選択候補から除外する
ことを特徴とする広告配信方法。
【発明の詳細な説明】
【技術分野】
【０００１】
本発明は、端末装置のユーザに対しクーポンを配布する技術と、端末装置のユーザに対し広告を配信する技術とに関する。
【背景技術】
【０００２】
顧客に対する商品・サービスの購入を促す方法として、古くから広告が用いられている。近年では従来の紙媒体による広告に加え、インターネットを介して消費者の端末装置に配信されるＷｅｂページの中に広告を含ませることが広く行われている。
【０００３】
インターネットを介して電子的に広告を配信する仕組みに関する提案は枚挙に暇がない程多数ある。
【０００４】
上記のような広告掲載という方法とは別に、顧客に対する商品・サービスの購入を促す方法として、クーポンの配布という方法が広く利用されている。クーポンとは、商品やサービスの購入者が所定の特典を得るためのチケットであり、例えばクーポンを持っている顧客に粗品を贈呈する、というものや、クーポンを持っている顧客に対し特定の商品の販売価格を一定額割り引く、というものなど、その内容は様々である。
【０００５】
商品やサービスの購入を検討している消費者にとって、クーポンによりその購入の決意が促進されることは多い。例えば、類似の商品がある場合、クーポンにより特典が得られる商品の方が、そのような特典の得られない商品よりも多くの消費者によって選択されるであろうことは容易に想像されることである。
【０００６】
インターネットを介して電子的にクーポンを配布する仕組みに関する技術もまた、数多く提案されている。例えば、特許文献１には、二次元コードを携帯電話のカメラにより撮像することで電子的なクーポン（以下、「電子クーポン」または単に「クーポン」という）を携帯電話に対し配布する仕組みが提案されている。
【先行技術文献】
【特許文献】
【０００７】
【特許文献１】特開２０１１−１４５９９７号公報
【発明の概要】
【発明が解決しようとする課題】
【０００８】
広告の場合、潜在的な消費者に広告が認識されることが重要である。例えば、ある広告がＷｅｂページ内に頻繁に掲載されたとしても、Ｗｅｂページの閲覧者がその広告を十分に認識しているとは限らない。すなわち、広告の閲覧は潜在的な消費者にとって受動的な行動となるため、高い効果を確保するのが難しいという問題がある。
【０００９】
クーポンの場合、消費者の側にまず、購入したい商品・サービスがあって、それらの商品・サービスの購入に際し特典を得るためにクーポンを獲得する、という消費者の能動的な行動を伴う。従って、クーポンの場合、消費者にとってクーポンの存在を認識させることよりも、消費者にとって魅力的な内容のクーポンを提示することが重要となる。ただし、クーポンの内容を魅力的にするためには、割引率を高くするなど、クーポンの発行者はその内容に応じた費用を負担しなければならない。
【００１０】
本発明者は、広告の配信とクーポンの配布という、商品・サービスの購入を促すための異なるアプローチを組み合わせることにより、広告の掲載者とクーポンの発行者の双方にとって互恵的な関係を構築できる仕組みを思いついた。
【００１１】
具体的には、潜在的な消費者に広告の閲覧を促すための手段として、その広告の掲載者とは異なる発行者が発行するクーポンの配布を行う一方、広告の掲載者が通常、広告配信サーバ装置の管理事業者を介して広告を掲載したＷｅｂページの管理者に支払う広告掲載料の一部を、クーポンの発行者の費用負担の軽減に用いる、という仕組みである。
【００１２】
しかしながら、そのような仕組みがうまく機能するためには、広告の持つ上述した問題、すなわち広告の高い効果を確保するのが難しい、という点を解消する必要がある。広告の効果が確保されなければ、広告の掲載者は高い掲載料を支払うことができず、その結果、クーポンの発行者の費用負担もさほど軽減されないためである。
【００１３】
本発明は、上述した問題を解消し、広告の掲載者とクーポンの発行者との互恵的な関係の構築を可能とする手段を提供することを目的とする。
【課題を解決するための手段】
【００１４】
上記の課題を解決するため、本発明は、
サーバ装置が、所定の特典の付与を示す電子的なアイテムである電子クーポンを１以上記憶するステップと、
前記サーバ装置が、質問を示す質問データと当該質問に対する正答を示す正答データとの組である質問正答データを複数、記憶するステップと、
端末装置がサーバ装置に対し、前記サーバ装置に記憶されている前記１以上の電子クーポンのうちの一の電子クーポンの要求を示すクーポン要求データを送信するステップと、
前記サーバ装置が、前記クーポン要求データに応じて、前記複数の質問正答データの中から偶然性を伴う所定の手順に従い一の質問正答データを選択するステップと、
前記サーバ装置が、前記選択した一の質問正答データに含まれる一の質問データを前記端末装置に送信するステップと、
前記端末装置が、前記サーバ装置から送信されてくる前記一の質問データにより示される質問を前記端末装置のユーザに通知するステップと、
前記端末装置が、前記ユーザによる前記端末装置に対する操作に応じて、前記一の質問データにより示される質問に対する前記ユーザの回答を示す回答データを生成するステップと、
前記端末装置が、前記回答データを前記サーバ装置に送信するステップと、
前記サーバ装置が、前記回答データと前記一の質問正答データに含まれる一の正答データとを照合するステップと、
前記サーバ装置が、前記照合において前記回答データと前記一の正答データとが一致すると判定した場合に限り、前記端末装置に対し前記一の電子クーポンを送信するステップと
を備える方法
を第１の実施態様として提案する。
【００１５】
また、本発明は、
サーバ装置が、所定の特典の付与を示す電子的なアイテムである電子クーポンを１以上記憶するステップと、
前記サーバ装置が、質問を示す質問データと当該質問に対する正答を示す正答データとの組である質問正答データを複数、記憶するステップと、
端末装置がサーバ装置に対し、前記サーバ装置に記憶されている前記１以上の電子クーポンのうちの一の電子クーポンの要求を示すクーポン要求データを送信するステップと、
前記サーバ装置が、前記クーポン要求データに応じて、前記複数の質問正答データの中から偶然性を伴う所定の手順に従い一の質問正答データを選択するステップと、
前記サーバ装置が、前記選択した一の質問正答データに含まれる一の質問データを前記端末装置に送信するステップと、
前記端末装置が、前記サーバ装置から送信されてくる前記一の質問データにより示される質問を前記端末装置のユーザに通知するステップと、
前記端末装置が、前記ユーザによる前記端末装置に対する操作に応じて、前記一の質問データにより示される質問に対する前記ユーザの回答を示す回答データを生成するステップと、
前記端末装置が、前記回答データを前記サーバ装置に送信するステップと、
前記サーバ装置が、前記回答データと前記一の質問正答データに含まれる一の正答データとを照合するステップと、
前記サーバ装置が、前記照合において前記回答データと前記一の正答データとが一致すると判定した場合に限り、前記一の電子クーポンを前記端末装置のユーザを識別するユーザ識別データに対応付けるステップと
を備える方法
を第２の実施態様として提案する。
【００１６】
また、本発明は、
サーバ装置が、所定の特典の付与を示す電子的なアイテムである電子クーポンを１以上記憶するステップと、
前記サーバ装置が、質問を示す質問データと当該質問に対する正答を示す正答データとの組である質問正答データを複数、記憶するステップと、
端末装置がサーバ装置に対し、前記サーバ装置に記憶されている前記１以上の電子クーポンのうちの一の電子クーポンの要求を示すクーポン要求データを送信するステップと、
前記サーバ装置が、前記クーポン要求データに応じて、前記複数の質問正答データの中から偶然性を伴う所定の手順に従い一の質問正答データを選択するステップと、
前記サーバ装置が、前記選択した一の質問正答データを前記端末装置に送信するステップと、
前記端末装置が、前記サーバ装置から送信されてくる前記一の質問正答データに含まれる一の質問データにより示される質問を前記端末装置のユーザに通知するステップと、
前記端末装置が、前記ユーザによる前記端末装置に対する操作に応じて、前記一の質問データにより示される質問に対する前記ユーザの回答を示す回答データを生成するステップと、
前記端末装置が、前記回答データと前記一の質問正答データに含まれる一の正答データとを照合するステップと、
前記端末装置が、前記照合において前記回答データと前記一の正答データとが一致すると判定した場合に限り、前記ユーザにより正答が入力されたことを通知する正答通知データを前記サーバ装置に送信するステップと、
前記サーバ装置が、前記正答通知データに応じて、前記端末装置に対し前記一の電子クーポンを送信するステップと
を備える方法
を第３の実施態様として提案する。
【００１７】
また、本発明は、
サーバ装置が、所定の特典の付与を示す電子的なアイテムである電子クーポンを１以上記憶するステップと、
前記サーバ装置が、質問を示す質問データと当該質問に対する正答を示す正答データとの組である質問正答データを複数、記憶するステップと、
端末装置がサーバ装置に対し、前記サーバ装置に記憶されている前記１以上の電子クーポンのうちの一の電子クーポンの要求を示すクーポン要求データを送信するステップと、
前記サーバ装置が、前記クーポン要求データに応じて、前記複数の質問正答データの中から偶然性を伴う所定の手順に従い一の質問正答データを選択するステップと、
前記サーバ装置が、前記選択した一の質問正答データを前記端末装置に送信するステップと、
前記端末装置が、前記サーバ装置から送信されてくる前記一の質問正答データに含まれる一の質問データにより示される質問を前記端末装置のユーザに通知するステップと、
前記端末装置が、前記ユーザによる前記端末装置に対する操作に応じて、前記一の質問データにより示される質問に対する前記ユーザの回答を示す回答データを生成するステップと、
前記端末装置が、前記回答データと前記一の質問正答データに含まれる一の正答データとを照合するステップと、
前記端末装置が、前記照合において前記回答データと前記一の正答データとが一致すると判定した場合に限り、前記ユーザにより正答が入力されたことを通知する正答通知データを前記サーバ装置に送信するステップと、
前記サーバ装置が、前記正答通知データに応じて、前記一の電子クーポンを前記端末装置のユーザを識別するユーザ識別データに対応付けるステップと
を備える方法
を第４の実施態様として提案する。
【００１８】
また本発明は、上記第１または第２の実施態様にかかる方法において、
前記サーバ装置が前記選択した一の質問正答データに含まれる一の質問データを前記端末装置に送信するステップは、前記一の質問正答データに含まれる一の正答データを前記端末装置に送信するステップを含み、
前記端末装置が前記サーバ装置から送信されてくる前記一の質問データにより示される質問を前記端末装置のユーザに通知するステップは、前記端末装置が前記一の正答データにより示される正答を前記ユーザに通知するステップと、前記端末装置が前記正答の通知を終了した後、前記一の質問データにより示される質問を前記ユーザに通知するステップとを含む
という構成を第５の実施態様として提案する。
【００１９】
また本発明は、上記第３または第４の実施態様にかかる方法において、
前記端末装置が前記サーバ装置から送信されてくる前記一の質問正答データに含まれる一の質問データにより示される質問を前記端末装置のユーザに通知するステップは、前記端末装置が前記一の正答データにより示される正答を前記ユーザに通知するステップと、前記端末装置が前記正答の通知を終了した後、前記一の質問データにより示される質問を前記ユーザに通知するステップとを含む
という構成を第６の実施態様として提案する。
【００２０】
また本発明は、上記第１乃至第６のいずれかの実施態様にかかる方法において、
前記所定の特典の付与を示す電子的なアイテムである電子クーポンを１以上記憶するステップにおいて、前記サーバ装置は複数の電子クーポンを記憶し、
前記サーバ装置が前記端末装置に対し、前記記憶した複数の電子クーポンの全てもしくは一部の複数の電子クーポンの名称を示す電子クーポン名称データを送信するステップと、
前記端末装置が、前記サーバ装置から送信されてくる前記電子クーポン名称データに示される複数の電子クーポンの名称を前記ユーザに通知するステップと、
前記端末装置が、前記ユーザによる前記端末装置に対する操作に応じて、前記複数の電子クーポンの名称のうち前記ユーザにより選択された一の名称により識別される電子クーポンを識別する電子クーポン識別データを生成するステップと
を備え、
前記端末装置が前記サーバ装置に対し前記サーバ装置に記憶されている前記１以上の電子クーポンのうちの一の電子クーポンの要求を示すクーポン要求データを送信するステップにおいて、前記端末装置は、前記生成した電子クーポン識別データにより前記一の電子クーポンを識別する前記クーポン要求データを送信する
という構成を第７の実施態様として提案する。
【００２１】
また本発明は、上記第１の実施態様にかかる方法において、
前記サーバ装置が、前記一の質問データを前記端末装置へ送信した場合、もしくは前記回答データと前記一の正答データとが一致すると判定した場合、所定の条件に従い課金額を算出するステップと、
前記サーバ装置が、前記一の電子クーポンを前記端末装置へ送信した場合、所定の条件に従い報酬額を算出するステップと
を備える
という構成を第８の実施態様として提案する。
【００２２】
また本発明は、上記第２の実施態様にかかる方法において、
前記サーバ装置が、前記一の質問データを前記端末装置へ送信した場合、もしくは前記回答データと前記一の正答データとが一致すると判定した場合、所定の条件に従い課金額を算出するステップと、
前記サーバ装置が、前記一の電子クーポンを前記端末装置のユーザを識別するユーザ識別データに対応付けた場合、所定の条件に従い報酬額を算出するステップと
を備える
という構成を第９の実施態様として提案する。
【００２３】
また本発明は、上記第３の実施態様にかかる方法において、
前記サーバ装置が、前記一の質問データを前記端末装置へ送信した場合、もしくは前記正答通知データを前記端末装置から受信した場合、所定の条件に従い課金額を算出するステップと、
前記サーバ装置が、前記一の電子クーポンを前記端末装置へ送信した場合、所定の条件に従い報酬額を算出するステップと
を備える
という構成を第１０の実施態様として提案する。
【００２４】
また本発明は、上記第４の実施態様にかかる方法において、
前記サーバ装置が、前記一の質問データを前記端末装置へ送信した場合、もしくは前記正答通知データを前記端末装置から受信した場合、所定の条件に従い課金額を算出するステップと、
前記サーバ装置が、前記一の電子クーポンを前記端末装置のユーザを識別するユーザ識別データに対応付けた場合、所定の条件に従い報酬額を算出するステップと
を備える
という構成を第１１の実施態様として提案する。
【００２５】
また本発明は、上記第１乃至第１１のいずれかの実施態様にかかる方法において、
前記サーバ装置が、前記端末装置に対し過去に送信した質問データに関し、当該送信の時刻を示す送信時刻データを記憶するステップを備え、
前記サーバ装置は、前記端末装置に対し過去に送信した質問データのうち当該質問データに関し記憶されている前記送信時刻データにより示される時刻から現時点に至る時間が所定の条件を満たす質問データがある場合、当該条件を満たす質問データを前記端末装置に送信する
という構成を第１２の実施態様として提案する。
【００２６】
また本発明は、上記第１乃至第１１のいずれかの実施態様にかかる方法において、
前記端末装置が、前記ユーザに対し過去に通知した質問を示す質問データに関し、当該通知の時刻を示す通知時刻データを記憶するステップを備え、
前記端末装置は、前記ユーザに対し過去に通知した質問を示す質問データのうち当該質問データに関し記憶されている前記通知時刻データにより示される時刻から現時点に至る時間が所定の条件を満たす質問データがある場合、当該条件を満たす質問データにより示される質問を前記ユーザに通知する
という構成を第１３の実施態様として提案する。
【００２７】
また本発明は、上記第１乃至第１３のいずれかの実施態様にかかる方法において、
前記サーバ装置が、前記端末装置のユーザにより閲覧可能な電子メッセージの宛先を示すメッセージアドレスを記憶するステップと、
前記サーバ装置が、前記複数の質問正答データの各々に関し、当該質問正答データにより示される質問の出題者に関する案内を示す案内データを記憶するステップと、
前記サーバ装置が、前記端末装置に対し過去に送信した質問データを含む質問正答データに対応する前記案内データを前記端末装置のユーザの前記メッセージアドレスに宛てて送信するステップと
を備える
という構成を第１４の実施態様として提案する。
【００２８】
また本発明は、上記第１乃至第１４のいずれかの実施態様にかかる方法において、
前記端末装置は、複数のユーザの各々により各々操作される複数の端末装置からなる端末装置群であり、
前記端末装置が前記サーバ装置に対し前記サーバ装置に記憶されている前記１以上の電子クーポンのうちの一の電子クーポンの要求を示すクーポン要求データを送信するステップにおいて、前記サーバ装置は、前記サーバ装置に対し所定の時間内に前記一の電子クーポンの要求を示すクーポン要求データを送信してきた複数の端末装置を前記端末装置群として識別する
という構成を第１５の実施態様として提案する。
【００２９】
また本発明は、上記第１乃至第１５のいずれかの実施態様にかかる方法において、
前記端末装置が前記サーバ装置に対し前記サーバ装置に記憶されている前記１以上の電子クーポンのうちの一の電子クーポンの要求を示すクーポン要求データを送信するステップは、前記端末装置が備える撮像手段により当該一の電子クーポンを識別する画像を撮像するステップと、前記端末装置が当該撮像により生成した画像データもしくは当該画像データをデコードして得られる当該一の電子クーポンを識別するクーポン識別データを含む前記クーポン要求データを送信するステップとを含む
という構成を第１６の実施態様として提案する。
【００３０】
また本発明は、上記第１乃至第１６のいずれかの実施態様にかかる方法において、
前記一の電子クーポンは店舗で購入する商品またはサービスの購入金額の減額の許可を示し、
前記端末装置が前記一の電子クーポンを一の店舗において使用する際、前記一の店舗を識別する店舗識別データを取得するステップと、
前記端末装置が、前記店舗識別データを前記サーバ装置に送信するステップと
を備える
という構成を第１７の実施態様として提案する。
【００３１】
また本発明は、上記第１乃至第１７のいずれかの実施態様にかかる方法において、
前記一の電子クーポンは店舗で購入する商品またはサービスの購入金額の減額の許可を示し、
前記端末装置とは異なる端末装置であって、前記一の店舗に配置された端末装置である店舗端末装置が、前記一の電子クーポンを使用するユーザの前記端末装置を識別するユーザ識別データを取得するステップと、
前記店舗端末装置が、前記ユーザ識別データを前記サーバ装置に送信するステップと
を備える
という構成を第１８の実施態様として提案する。
【００３２】
また本発明は、上記第１乃至第１８のいずれかの実施態様にかかる方法において、
前記一の電子クーポンは、前記一の電子クーポンの有効期限を示す有効期限データを伴い、
前記端末装置が、現時点から前記有効期限データにより示される有効期限までの期間が所定の時間以下である場合、前記一の電子クーポンの有効期限が近づいていることを前記ユーザに通知するステップを備える
という構成を第１９の実施態様として提案する。
【００３３】
また本発明は、上記第１乃至第１９のいずれかの実施態様にかかる方法において、
前記一の電子クーポンは、前記一の電子クーポンの使用可能な位置を示す使用可能位置データを伴い、
前記端末装置が、自機の現在位置を示す現在位置データを取得するステップと、
前記端末装置が、前記取得した現在位置データにより示される位置と前記使用可能位置データにより示される位置との距離が所定の距離以下である場合、前記一の電子クーポンの使用可能な位置が近いことを前記ユーザに通知するステップと
を備える
という構成を第２０の実施態様として提案する。
【００３４】
また本発明は、上記第１乃至第２０のいずれかの実施態様にかかる方法において、
前記一の電子クーポンは、前記一の電子クーポンとは異なる電子的なアイテムである電子アイテムを伴い、
前記サーバ装置は、前記端末装置に対し過去に付与した前記電子アイテムが所定の条件を満たす場合、前記端末装置に対し前記一の電子クーポンとは異なる特典を付与する
という構成を第２１の実施態様として提案する。
【００３５】
また本発明は、
サーバ装置と端末装置とを備え、
前記サーバ装置は、
所定の特典の付与を示す電子的なアイテムである電子クーポンを１以上記憶し、質問を示す質問データと当該質問に対する正答を示す正答データとの組である質問正答データを複数記憶するする記憶手段と、
前記端末装置から、自機の前記記憶手段に記憶されている前記１以上の電子クーポンのうちの一の電子クーポンの要求を示すクーポン要求データを受信する受信手段と、
自機の前記受信手段により受信された前記クーポン要求データに応じて、前記複数の質問正答データの中から偶然性を伴う所定の手順に従い一の質問正答データを選択する選択手段と、
自機の前記選択手段により選択された前記一の質問正答データに含まれる一の質問データを前記端末装置に送信する送信手段と
を備え、
前記端末装置は、
前記サーバ装置に対し、前記サーバ装置に記憶されている前記１以上の電子クーポンのうちの一の電子クーポンの要求を示すクーポン要求データを送信する送信手段と、
前記サーバ装置から、前記一の質問データを受信する受信手段と、
自機の前記受信手段により受信された前記一の質問データにより示される質問を前記端末装置のユーザに通知する通知手段と、
前記ユーザによる自機に対する操作に応じて、前記一の質問データにより示される質問に対する前記ユーザの回答を示す回答データを生成する生成手段と
を備え、
前記端末装置の前記送信手段は、前記端末装置の前記生成手段により生成された前記回答データを前記サーバ装置に送信し、
前記サーバ装置の前記受信手段は、前記端末装置から、前記回答データを受信し、
前記サーバ装置は、自機の前記受信手段により受信された前記回答データと自機の前記記憶手段に記憶されている前記一の質問正答データに含まれる一の正答データとを照合する照合手段を備え、
前記サーバ装置の前記送信手段は、自機の前記照合手段により前記回答データと前記一の正答データとが一致すると判定した場合に限り、前記端末装置に対し前記一の電子クーポンを送信し、
前記端末装置の前記受信手段は、前記サーバ装置から、前記一の電子クーポンを受信する
システム
を第２２の実施態様として提案する。
【００３６】
また本発明は、
サーバ装置と端末装置とを備え、
前記サーバ装置は、
所定の特典の付与を示す電子的なアイテムである電子クーポンを１以上記憶し、質問を示す質問データと当該質問に対する正答を示す正答データとの組である質問正答データを複数記憶するする記憶手段と、
前記端末装置から、自機の前記記憶手段に記憶されている前記１以上の電子クーポンのうちの一の電子クーポンの要求を示すクーポン要求データを受信する受信手段と、
自機の前記受信手段により受信された前記クーポン要求データに応じて、前記複数の質問正答データの中から偶然性を伴う所定の手順に従い一の質問正答データを選択する選択手段と、
自機の前記選択手段により選択された前記一の質問正答データに含まれる一の質問データを前記端末装置に送信する送信手段と
を備え、
前記端末装置は、
前記サーバ装置に対し、前記サーバ装置に記憶されている前記１以上の電子クーポンのうちの一の電子クーポンの要求を示すクーポン要求データを送信する送信手段と、
前記サーバ装置から、前記一の質問データを受信する受信手段と、
自機の前記受信手段により受信された前記一の質問データにより示される質問を前記端末装置のユーザに通知する通知手段と、
前記ユーザによる自機に対する操作に応じて、前記一の質問データにより示される質問に対する前記ユーザの回答を示す回答データを生成する生成手段と
を備え、
前記端末装置の前記送信手段は、前記端末装置の前記生成手段により生成された前記回答データを前記サーバ装置に送信し、
前記サーバ装置の前記受信手段は、前記端末装置から、前記回答データを受信し、
前記サーバ装置は、自機の前記受信手段により受信された前記回答データと自機の前記記憶手段に記憶されている前記一の質問正答データに含まれる一の正答データとを照合する照合手段を備え、
前記サーバ装置は、自機の前記照合手段により前記回答データと前記一の正答データとが一致すると判定した場合に限り、自機の前記記憶手段において、前記一の電子クーポンを前記端末装置のユーザを識別するユーザ識別データに対応付ける
システム
を第２３の実施態様として提案する。
【００３７】
また本発明は、
サーバ装置と端末装置とを備え、
前記サーバ装置は、
所定の特典の付与を示す電子的なアイテムである電子クーポンを１以上記憶し、質問を示す質問データと当該質問に対する正答を示す正答データとの組である質問正答データを複数記憶するする記憶手段と、
前記端末装置から、自機の前記記憶手段に記憶されている前記１以上の電子クーポンのうちの一の電子クーポンの要求を示すクーポン要求データを受信する受信手段と、
自機の前記受信手段により受信された前記クーポン要求データに応じて、前記複数の質問正答データの中から偶然性を伴う所定の手順に従い一の質問正答データを選択する選択手段と、
自機の前記選択手段により選択された前記一の質問正答データを前記端末装置に送信する送信手段と
を備え、
前記端末装置は、
前記サーバ装置に対し、前記サーバ装置に記憶されている前記１以上の電子クーポンのうちの一の電子クーポンの要求を示すクーポン要求データを送信する送信手段と、
前記サーバ装置から、前記一の質問正答データを受信する受信手段と、
自機の前記受信手段により受信された前記一の質問正答データに含まれる一の質問データにより示される質問を前記端末装置のユーザに通知する通知手段と、
前記ユーザによる自機に対する操作に応じて、前記一の質問データにより示される質問に対する前記ユーザの回答を示す回答データを生成する生成手段と、
前記生成手段により生成された前記回答データと前記一の質問正答データに含まれる一の正答データとを照合する照合手段と
を備え、
前記端末装置の前記送信手段は、自機の前記照合手段により前記回答データと前記一の正答データとが一致すると判定された場合に限り、前記ユーザにより正答が入力されたことを通知する正答通知データを前記サーバ装置に送信し、
前記サーバ装置の前記受信手段は、前記端末装置から、前記正答通知データを受信し、
前記サーバ装置の前記送信手段は、自機の前記受信手段により受信された前記正答通知データに応じて、前記端末装置に対し前記一の電子クーポンを送信する
システム
を第２４の実施態様として提案する。
【００３８】
また本発明は、
サーバ装置と端末装置とを備え、
前記サーバ装置は、
所定の特典の付与を示す電子的なアイテムである電子クーポンを１以上記憶し、質問を示す質問データと当該質問に対する正答を示す正答データとの組である質問正答データを複数記憶するする記憶手段と、
前記端末装置から、自機の前記記憶手段に記憶されている前記１以上の電子クーポンのうちの一の電子クーポンの要求を示すクーポン要求データを受信する受信手段と、
自機の前記受信手段により受信された前記クーポン要求データに応じて、前記複数の質問正答データの中から偶然性を伴う所定の手順に従い一の質問正答データを選択する選択手段と、
自機の前記選択手段により選択された前記一の質問正答データを前記端末装置に送信する送信手段と
を備え、
前記端末装置は、
前記サーバ装置に対し、前記サーバ装置に記憶されている前記１以上の電子クーポンのうちの一の電子クーポンの要求を示すクーポン要求データを送信する送信手段と、
前記サーバ装置から、前記一の質問正答データを受信する受信手段と、
自機の前記受信手段により受信された前記一の質問正答データに含まれる一の質問データにより示される質問を前記端末装置のユーザに通知する通知手段と、
前記ユーザによる自機に対する操作に応じて、前記一の質問データにより示される質問に対する前記ユーザの回答を示す回答データを生成する生成手段と、
前記生成手段により生成された前記回答データと前記一の質問正答データに含まれる一の正答データとを照合する照合手段と
を備え、
前記端末装置の前記送信手段は、自機の前記照合手段により前記回答データと前記一の正答データとが一致すると判定された場合に限り、前記ユーザにより正答が入力されたことを通知する正答通知データを前記サーバ装置に送信し、
前記サーバ装置の前記受信手段は、前記端末装置から、前記正答通知データを受信し、
前記サーバ装置は、自機の前記受信手段により受信された前記正答通知データに応じて、自機の前記記憶手段において、前記一の電子クーポンを前記端末装置のユーザを識別するユーザ識別データに対応付ける
システム
を第２５の実施態様として提案する。
【００３９】
また本発明は、上記第２２または第２３の実施態様にかかるシステムにおいて、
前記サーバ装置の前記送信手段は、前記選択手段により選択された前記一の質問正答データに含まれる一の正答データを前記端末装置に送信し、
前記端末装置の前記受信手段は、前記サーバ装置から、前記一の正答データを受信し、
前記端末装置の前記通知手段は、自機の前記受信手段により受信された前記一の正答データにより示される正答を前記ユーザに通知し、当該正答の通知を終了した後、前記一の質問データにより示される質問を前記ユーザに通知する
という構成を第２６の実施態様として提案する。
【００４０】
また本発明は、上記第２４または第２５の実施態様にかかるシステムにおいて、
前記端末装置の前記通知手段は、自機の前記受信手段により受信された前記一の質問正答データに含まれる一の正答データにより示される正答を前記ユーザに通知し、当該正答の通知を終了した後、前記一の質問正答データに含まれる一の質問データにより示される質問を前記ユーザに通知する
という構成を第２７の実施態様として提案する。
【００４１】
また本発明は、上記第２２乃至第２７のいずれかの実施態様にかかるシステムにおいて、
前記サーバ装置の前記記憶手段は、前記所定の特典の付与を示す電子的なアイテムである電子クーポンを複数、記憶し、
前記サーバ装置の前記送信手段は、前記端末装置に対し、自機の前記記憶手段に記憶されている前記複数の電子クーポンの全てもしくは一部の複数の電子クーポンの名称を示す電子クーポン名称データを送信し、
前記端末装置の前記受信手段は、前記サーバ装置から送信されてくる前記電子クーポン名称データを受信し、
前記端末装置の前記通知手段は、自機の前記受信手段により受信された前記電子クーポン名称データに示される複数の電子クーポンの名称を前記ユーザに通知し、
前記端末装置の前記生成手段は、前記ユーザによる自機に対する操作に応じて、前記複数の電子クーポンの名称のうち前記ユーザにより選択された一の名称により識別される電子クーポンを識別する電子クーポン識別データを生成し、
前記端末装置の前記送信手段は、自機の前記生成手段により生成された前記電子クーポン識別データにより前記一の電子クーポンを識別する前記クーポン要求データを送信する
という構成を第２８の実施態様として提案する。
【００４２】
また本発明は、上記第２２の実施態様にかかるシステムにおいて、
前記サーバ装置は、自機の前記送信手段により前記一の質問データが前記端末装置に送信された場合、もしくは自機の前記照合手段により前記回答データと前記一の正答データとが一致すると判定された場合、所定の条件に従い課金額を算出し、自機の前記送信手段により前記一の電子クーポンが前記端末装置へ送信された場合、所定の条件に従い報酬額を算出する算出手段を備える
という構成を第２９の実施態様として提案する。
【００４３】
また本発明は、上記第２３の実施態様にかかるシステムにおいて、
前記サーバ装置は、自機の前記送信手段により前記一の質問データが前記端末装置に送信された場合、もしくは自機の前記照合手段により前記回答データと前記一の正答データとが一致すると判定された場合、所定の条件に従い課金額を算出し、自機の前記記憶手段により前記一の電子クーポンが前記端末装置のユーザを識別するユーザ識別データに対応付けられた場合、所定の条件に従い報酬額を算出する算出手段を備える
という構成を第３０の実施態様として提案する。
【００４４】
また本発明は、上記第２４の実施態様にかかるシステムにおいて、
前記サーバ装置は、自機の前記送信手段により前記一の質問データが前記端末装置に送信された場合、もしくは自機の前記受信手段により前記正答通知データが前記端末装置から受信された場合、所定の条件に従い課金額を算出し、自機の前記送信手段により前記一の電子クーポンが前記端末装置へ送信された場合、所定の条件に従い報酬額を算出する算出手段を備える
という構成を第３１の実施態様として提案する。
【００４５】
また本発明は、上記第２５の実施態様にかかるシステムにおいて、
前記サーバ装置は、自機の前記送信手段により前記一の質問データが前記端末装置に送信された場合、もしくは自機の前記受信手段により前記正答通知データが前記端末装置から受信された場合、所定の条件に従い課金額を算出し、自機の前記記憶手段により前記一の電子クーポンが前記端末装置のユーザを識別するユーザ識別データに対応付けられた場合、所定の条件に従い報酬額を算出する算出手段を備える
という構成を第３２の実施態様として提案する。
【００４６】
また本発明は、上記第２２乃至第３２のいずれかの実施態様にかかるシステムにおいて、
前記サーバ装置の前記記憶手段は、自機の前記送信手段が前記端末装置に対し過去に送信した質問データに関し、当該送信の時刻を示す送信時刻データを記憶し、
前記サーバ装置の前記送信手段は、自機の前記記憶手段により記憶されている前記送信時刻データにより示される時刻から現時点に至る時間が所定の条件を満たす質問データがある場合、当該条件を満たす質問データを前記端末装置に送信する
という構成を第３３の実施態様として提案する。
【００４７】
また本発明は、上記第２２乃至第３２のいずれかの実施態様にかかるシステムにおいて、
前記端末装置は、自機の前記通知手段が過去に前記ユーザに対し通知した質問を示す質問データに関し、当該通知の時刻を示す通知時刻データを記憶する記憶手段を備え、
前記端末装置の前記通知手段は、前記ユーザに対し過去に通知した質問を示す質問データのうち当該質問データに関し記憶されている前記通知時刻データにより示される時刻から現時点に至る時間が所定の条件を満たす質問データがある場合、当該条件を満たす質問データにより示される質問を前記ユーザに通知する
という構成を第３４の実施態様として提案する。
【００４８】
また本発明は、上記第２２乃至第３４のいずれかの実施態様にかかるシステムにおいて、
前記サーバ装置の前記記憶手段は、前記端末装置のユーザにより閲覧可能な電子メッセージの宛先を示すメッセージアドレスを記憶し、
前記サーバ装置の前記記憶手段は、前記複数の質問正答データの各々に関し、当該質問正答データにより示される質問の出題者に関する案内を示す案内データを記憶し、
前記サーバ装置の前記送信手段は、前記端末装置に対し過去に送信した質問データを含む質問正答データに対応する前記案内データを前記端末装置のユーザの前記メッセージアドレスに宛てて送信する
という構成を第３５の実施態様として提案する。
【００４９】
また本発明は、上記第２２乃至第３５のいずれかの実施態様にかかるシステムにおいて、
前記端末装置は、複数のユーザの各々により各々操作される複数の端末装置からなる端末装置群であり、
前記サーバ装置は、自機の前記受信手段により、自機の前記記憶手段に記憶されている前記１以上の電子クーポンのうちの一の電子クーポンの要求を示すクーポン要求データを所定の時間内に送信してきた複数の端末装置を前記端末装置群として識別する
という構成を第３６の実施態様として提案する。
【００５０】
また本発明は、上記第２２乃至第３６のいずれかの実施態様にかかるシステムにおいて、
前記端末装置は、一の電子クーポンを識別する画像を撮像する撮像手段を備え、
前記端末装置の前記送信手段は、自機の前記撮像手段により生成された画像データもしくは当該画像データをデコードして得られる当該一の電子クーポンを識別するクーポン識別データを含む前記クーポン要求データを送信する
という構成を第３７の実施態様として提案する。
【００５１】
また本発明は、上記第２２乃至第３７のいずれかの実施態様にかかるシステムにおいて、
前記一の電子クーポンは店舗で購入する商品またはサービスの購入金額の減額の許可を示し、
前記端末装置は、前記一の電子クーポンが一の店舗において使用される際、前記一の店舗を識別する店舗識別データを取得する取得手段を備え、
前記端末装置の前記送信手段は、自機の前記取得手段により取得された前記店舗識別データを前記サーバ装置に送信する
という構成を第３８の実施態様として提案する。
【００５２】
また本発明は、上記第２２乃至第３７のいずれかの実施態様にかかるシステムにおいて、
前記一の電子クーポンは店舗で購入する商品またはサービスの購入金額の減額の許可を示し、
前記端末装置とは異なる端末装置であり、前記一の店舗に配置された端末装置であり、前記一の電子クーポンを使用するユーザの前記端末装置を識別するユーザ識別データを取得する取得手段と、前記ユーザ識別データを前記サーバ装置に送信する送信手段とを備える店舗端末装置を備える
という構成を第３９の実施態様として提案する。
【００５３】
また本発明は、上記第２２乃至第３９のいずれかの実施態様にかかるシステムにおいて、
前記一の電子クーポンは、前記一の電子クーポンの有効期限を示す有効期限データを伴い、
前記端末装置の前記通知手段は、現時点から前記有効期限データにより示される有効期限までの期間が所定の時間以下である場合、前記一の電子クーポンの有効期限が近づいていることを前記ユーザに対し通知する
という構成を第４０の実施態様として提案する。
【００５４】
また本発明は、上記第２２乃至第４０のいずれかの実施態様にかかるシステムにおいて、
前記一の電子クーポンは、前記一の電子クーポンの使用可能な位置を示す使用可能位置データを伴い、
前記端末装置は、自機の現在位置を示す現在位置データを取得する現在位置取得手段を備え、
前記端末装置の前記通知手段は、自機の前記現在位置取得手段により取得された現在位置データにより示される位置と前記使用可能位置データにより示される位置との距離が所定の距離以下である場合、前記一の電子クーポンの使用可能な位置が近いことを前記ユーザに対し通知する
という構成を第４１の実施態様として提案する。
【００５５】
また本発明は、上記第２２乃至第４１のいずれかの実施態様にかかるシステムにおいて、
前記一の電子クーポンは、前記一の電子クーポンとは異なる電子的なアイテムである電子アイテムを伴い、
前記サーバ装置の前記送信手段は、前記端末装置に対し過去に付与した前記電子アイテムが所定の条件を満たす場合、前記端末装置に対し前記一の電子クーポンとは異なる特典を示す特典データを送信する
という構成を第４２の実施態様として提案する。
【００５６】
また本発明は、上記第２２乃至第４１のいずれかの実施態様にかかるシステムにおいて、
前記一の電子クーポンは、前記一の電子クーポンとは異なる電子的なアイテムである電子アイテムを伴い、
前記サーバ装置の前記記憶手段は、前記端末装置に対し過去に付与した前記電子アイテムが所定の条件を満たす場合、自機の前記記憶手段において、前記一の電子クーポンとは異なる特典を示す特典データを前記端末装置のユーザを識別するユーザ識別データを対応付ける
という構成を第４３の実施態様として提案する。
【００５７】
また本発明は、
所定の特典の付与を示す電子的なアイテムである電子クーポンを１以上記憶し、質問を示す質問データと当該質問に対する正答を示す正答データとの組である質問正答データを複数記憶するする記憶手段と、
端末装置から、前記記憶手段に記憶されている前記１以上の電子クーポンのうちの一の電子クーポンの要求を示すクーポン要求データを受信する受信手段と、
前記受信手段により受信された前記クーポン要求データに応じて、前記複数の質問正答データの中から偶然性を伴う所定の手順に従い一の質問正答データを選択する選択手段と、
前記選択手段により選択された前記一の質問正答データに含まれる一の質問データを前記端末装置に送信する送信手段と
を備え、
前記受信手段は、前記端末装置から、前記一の質問データにより示される質問に対する回答を示す回答データを受信し、
前記受信手段により受信された前記回答データと前記記憶手段に記憶されている前記一の質問正答データに含まれる一の正答データとを照合する照合手段
を備え、
前記送信手段は、前記照合手段により前記回答データと前記一の正答データとが一致すると判定した場合に限り、前記端末装置に対し前記一の電子クーポンを送信する
サーバ装置
を第４４の実施態様として提案する。
【００５８】
また本発明は、
所定の特典の付与を示す電子的なアイテムである電子クーポンを１以上記憶し、質問を示す質問データと当該質問に対する正答を示す正答データとの組である質問正答データを複数記憶するする記憶手段と、
端末装置から、前記記憶手段に記憶されている前記１以上の電子クーポンのうちの一の電子クーポンの要求を示すクーポン要求データを受信する受信手段と、
前記受信手段により受信された前記クーポン要求データに応じて、前記複数の質問正答データの中から偶然性を伴う所定の手順に従い一の質問正答データを選択する選択手段と、
前記選択手段により選択された前記一の質問正答データに含まれる一の質問データを前記端末装置に送信する送信手段と
を備え、
前記受信手段は、前記端末装置から、前記一の質問データにより示される質問に対する回答を示す回答データを受信し、
前記受信手段により受信された前記回答データと前記記憶手段に記憶されている前記一の質問正答データに含まれる一の正答データとを照合する照合手段
を備え、
前記記憶手段は、前記照合手段により前記回答データと前記一の正答データとが一致すると判定した場合に限り、前記一の電子クーポンに前記端末装置のユーザを識別するユーザ識別データを対応付ける
サーバ装置
を第４５の実施態様として提案する。
【００５９】
また本発明は、
コンピュータを、
上記第４４または第４５の実施態様にかかるサーバ装置の前記記憶手段、前記受信手段、前記選択手段、前記送信手段、前記照合手段として機能させるプログラム
を第４６の実施態様として提案する。
【００６０】
また本発明は、
所定の特典の付与を示す電子的なアイテムである電子クーポンを１以上記憶し、質問を示す質問データと当該質問に対する正答を示す正答データとの組である質問正答データを複数記憶するする記憶手段と、
端末装置から、前記記憶手段に記憶されている前記１以上の電子クーポンのうちの一の電子クーポンの要求を示すクーポン要求データを受信する受信手段と、
前記受信手段により受信された前記クーポン要求データに応じて、前記複数の質問正答データの中から偶然性を伴う所定の手順に従い一の質問正答データを選択する選択手段と、
前記選択手段により選択された前記一の質問正答データを前記端末装置に送信する送信手段と
を備え、
前記受信手段は、前記端末装置から、正答が入力されたことを通知する正答通知データを受信し、
前記送信手段は、前記受信手段により受信された前記正答通知データに応じて、前記端末装置に対し前記一の電子クーポンを送信する
サーバ装置
を第４７の実施態様として提案する。
【００６１】
また本発明は、
所定の特典の付与を示す電子的なアイテムである電子クーポンを１以上記憶し、質問を示す質問データと当該質問に対する正答を示す正答データとの組である質問正答データを複数記憶するする記憶手段と、
端末装置から、前記記憶手段に記憶されている前記１以上の電子クーポンのうちの一の電子クーポンの要求を示すクーポン要求データを受信する受信手段と、
前記受信手段により受信された前記クーポン要求データに応じて、前記複数の質問正答データの中から偶然性を伴う所定の手順に従い一の質問正答データを選択する選択手段と、
前記選択手段により選択された前記一の質問正答データを前記端末装置に送信する送信手段と
を備え、
前記受信手段は、前記端末装置から、正答が入力されたことを通知する正答通知データを受信し、
前記記憶手段は、前記受信手段により受信された前記正答通知データに応じて、前記一の電子クーポンに前記端末装置のユーザを識別するユーザ識別データを対応付ける
サーバ装置
を第４８の実施態様として提案する。
【００６２】
また本発明は、
コンピュータを、
上記第４７または第４８の実施態様にかかるサーバ装置の前記記憶手段、前記受信手段、前記選択手段、前記送信手段として機能させるプログラム
を第４９の実施態様として提案する。
【００６３】
また本発明は、
サーバ装置に対し、前記サーバ装置に記憶されている、各々所定の特典の付与を示す電子的なアイテムである１以上の電子クーポンのうちの一の電子クーポンの要求を示すクーポン要求データを送信する送信手段と、
前記送信手段により送信されたクーポン要求データに対する応答として前記サーバ装置から送信されてくる質問示す一の質問データを受信する受信手段と、
前記受信手段により受信された前記一の質問データにより示される質問を自機のユーザに通知する通知手段と、
前記ユーザによる自機に対する操作に応じて、前記一の質問データにより示される質問に対する前記ユーザの回答を示す回答データを生成する生成手段と
を備え、
前記送信手段は、前記生成手段により生成された前記回答データを前記サーバ装置に送信する
端末装置
を第５０の実施態様として提案する。
【００６４】
また本発明は、上記第５０の実施態様にかかる端末装置において、
前記受信手段は、前記送信手段により送信された前記回答データに対する応答として前記サーバから送信されてくる前記一の電子クーポンを受信する
という構成を第５１の実施態様として提案する。
【００６５】
また本発明は、
コンピュータを、
上記第５０または第５１の実施態様にかかる端末装置の前記送信手段、前記受信手段、前記通知手段、前記生成手段として機能させるプログラム
を第５２の実施態様として提案する。
【００６６】
また本発明は、
サーバ装置に対し、前記サーバ装置に記憶されている、各々所定の特典の付与を示す電子的なアイテムである１以上の電子クーポンのうちの一の電子クーポンの要求を示すクーポン要求データを送信する送信手段と、
前記送信手段により送信されたクーポン要求データに対する応答として前記サーバ装置から送信されてくる質問を示す質問データと当該質問に対する正答を示す正答データとの組である一の質問正答データを受信する受信手段と、
前記受信手段により受信された前記一の質問正答データに含まれる質問データにより示される質問を自機のユーザに通知する通知手段と、
前記ユーザによる自機に対する操作に応じて、前記一の質問データにより示される質問に対する前記ユーザの回答を示す回答データを生成する生成手段と、
前記生成手段により生成された前記回答データと前記受信手段により受信された前記一の質問正答データに含まれる一の正答データとを照合する照合手段と
を備え、
前記送信手段は、前記照合手段により前記回答データと前記一の正答データとが一致すると判定された場合に限り、前記ユーザにより正答が入力されたことを通知する正答通知データを前記サーバ装置に送信する
端末装置
を第５３の実施態様として提案する。
【００６７】
また本発明は、上記第５３の実施態様にかかる端末装置において、
前記受信手段は、前記送信手段により送信された前記正答通知データに対する応答として前記サーバから送信されてくる前記一の電子クーポンを受信する
という構成を第５４の実施態様として提案する。
【００６８】
また本発明は、
コンピュータを、
上記第５３または第５４の実施態様にかかる端末装置の前記送信手段、前記受信手段、前記通知手段、前記生成手段、前記照合手段として機能させるプログラム
を第５５の実施態様として提案する。
【発明の効果】
【００６９】
本発明の第１乃至第４の実施態様にかかる方法、第２２乃至第２５の実施態様にかかるシステム、第４４、第４５、第４７、第４８の実施態様にかかるサーバ装置、第４６、第４９の実施態様にかかるプログラム、第５０、第５１、第５３、第５４の実施態様にかかる端末装置、第５２、第５５の実施態様にかかるプログラムによれば、クーポンの配布に伴い、クーポンを要求したユーザにより質問に対する回答の入力が行われる。そのため、質問および正答に広告内容を用いることで、一定以上の広告の効果を確保することができる。その結果、広告の掲載者が広告料を支払うインセンティブが増加し、実効性のあるクーポンの配布者の費用負担軽減が可能となる。
【００７０】
また、本発明の第５または第６の実施態様にかかる方法、第２６または第２７の実施態様にかかるシステムによれば、クーポンを要求したユーザに対し正答の通知が行われた後、その通知の終了後、正答の入力が求められる。その結果、ユーザに正答を記憶させる効果が高まり、正答に広告内容を用いることで、広告の効果を高めることができる。
【００７１】
また、本発明の第７の実施態様にかかる方法、第２８の実施態様にかかるシステムによれば、ユーザは複数のクーポンの中から獲得したいクーポンを選択することができる。いわゆるクーポン掲載サイトの仕組みが組み込まれることで、ユーザにとってより使い易い仕組みとなり、ユーザによる利用が促進される。
【００７２】
また、本発明の第８乃至第１１のいずれかの実施態様にかかる方法、第２９乃至第３２のいずれかの実施態様にかかるシステムによれば、ユーザに対する質問の出題に伴い、広告の掲載者に対する広告料の課金額が算出され、ユーザに対するクーポンの付与に伴い、クーポンの配布者に対する報酬額が算出される。そのため、広告の掲載者がクーポンの配布者の費用の一部を負担する際の金額が合理的かつ自動的に決定され、便利である。
【００７３】
また、本発明の第１２または第１３の実施態様にかかる方法、第３３または第３４の実施態様にかかるシステムによれば、過去に出題された質問が所定の時間の経過後に再度、同じユーザに対し出題される。その結果、質問および正答がユーザの記憶にさらに定着され、より高い広告の効果が得られる。
【００７４】
また、本発明の第１４の実施態様にかかる方法、第３５の実施態様にかかるシステムによれば、質問の出題者である広告の掲載者からの案内が、サーバ装置経由で自動的にその質問に回答したユーザに対し送信される。その結果、質問および正答によりユーザの記憶に残った商品やサービス、企業などに関し、より詳しい情報がユーザに伝えられる結果、広告の効果がさらに高まる。その際、案内の送信はサーバ装置から行われるため、メールアドレス等を広告の掲載者に通知する必要はなく、個人情報管理の観点からも望ましい。
【００７５】
また、本発明の第１５の実施態様にかかる方法、第３６の実施態様にかかるシステムによれば、クーポンが単独のユーザではなく複数のユーザのグループに対し付与される。従って、例えば飲食店をグループで利用する場合などに、その飲食店のテーブルに示されるクーポンコードなどをグループのユーザの各々が端末装置に入力しクーポンのリクエストを行うことで、ユーザの各々が質問に答え、全てのユーザが正答することではじめて、そのグループに対し飲食に伴う料金の割引などの特典が得られるクーポンが付与される、といったサービスが提供可能となる。その結果、より多くのユーザの質問への回答を促すことで、より多くの広告配信の機会を得ることができるとともに、質問に回答を行うユーザにとってもゲーム性が増して望ましい。
【００７６】
また、本発明の第１６の実施態様にかかる方法、第３７の実施態様にかかるシステムによれば、ユーザは画像コードを端末装置のカメラで撮影することで獲得したいクーポンの指定を行うことができ、便利である。
【００７７】
また、本発明の第１７または第１８の実施態様にかかる方法、第３８または第３９の実施態様にかかるシステムによれば、クーポンの使用に際し、クーポンの使用者と使用された店舗を示すデータがサーバ装置に送信されるため、クーポンの使用の有無が店舗の経営者等により確認可能となる。その結果、例えば店員がクーポンの利用がないのに購入金額を割り引く、といったような不正なクーポンの利用が抑制もしくは防止される。
【００７８】
また、本発明の第１９の実施態様にかかる方法、第４０の実施態様にかかるシステムによれば、ユーザが既に獲得しているクーポンに有効期限がある場合、そのクーポンに関し有効期限が近づいたことがユーザに通知される。その結果、クーポンの利用が促進され、クーポンの発行者にとって商品・サービスの販売促進の上で望ましいとともに、ユーザにとってもクーポンの利用をうっかり忘れることがなく望ましい。
【００７９】
また、本発明の第２０の実施態様にかかる方法、第４１の実施態様にかかるシステムによれば、ユーザが既に獲得しているクーポンの利用可能な店舗の近くにユーザが行った場合に、その旨がユーザに通知される。その結果、クーポンの利用が促進され、クーポンの発行者にとって商品・サービスの販売促進の上で望ましいとともに、ユーザにとってもクーポンの利用のために店舗に足を運ぶ手間が軽減され望ましい。
【００８０】
また、本発明の第２１の実施態様にかかる方法、第４２または第４３の実施態様にかかるシステムによれば、クーポンの配布に伴い、キャラクタの画像データやポイントなどの、クーポンとは異なるアイテムが付与される。そして、ユーザはそれらのアイテムを収集することで、別途、特典を得ることができる。そのため、ユーザによる継続的なクーポン獲得が促され、クーポンの配布者にとってクーポンの配布の機会が、また広告の掲載者にとって広告の配信の機会が増し、望ましい。
【図面の簡単な説明】
【００８１】
【図１】図１は、本発明の一実施例にかかるクーポン配布システムの全体構成を示した図である。
【図２】図２は、本発明の一実施例にかかるクイズマスターテーブルのデータ構成を模式的に示した図である。
【図３】図３は、本発明の一実施例にかかるクイズ出題ログテーブルのデータ構成を模式的に示した図である。
【図４】図４は、本発明の一実施例にかかるクーポンマスターテーブルのデータ構成を模式的に示した図である。
【図５】図５は、本発明の一実施例にかかる発行済みクーポンテーブルのデータ構成を模式的に示した図である。
【図６】図６は、本発明の一実施例にかかるクーポン使用ログテーブルのデータ構成を模式的に示した図である。
【図７】図７は、本発明の一実施例にかかるアイテムマスターテーブルのデータ構成を模式的に示した図である。
【図８】図８は、本発明の一実施例にかかるアイテムグループテーブルのデータ構成を模式的に示した図である。
【図９】図９は、本発明の一実施例にかかる付与済みアイテムテーブルのデータ構成を模式的に示した図である。
【図１０】図１０は、本発明の一実施例にかかる獲得クーポンテーブルのデータ構成を模式的に示した図である。
【図１１】図１１は、本発明の一実施例にかかる獲得アイテムテーブルのデータ構成を模式的に示した図である。
【図１２】図１２は、本発明の一実施例にかかるユーザ端末装置に表示される画面を模式的に示した図である。
【図１３】図１３は、本発明の一実施例にかかるユーザ端末装置に表示される画面を模式的に示した図である。
【図１４】図１４は、本発明の一実施例にかかるユーザ端末装置に表示される画面を模式的に示した図である。
【図１５】図１５は、本発明の一実施例にかかるユーザ端末装置に表示される画面を模式的に示した図である。
【図１６】図１６は、本発明の一実施例にかかるクーポン配布システムにおいて利用されるポップの内容を模式的に示した図である。
【図１７】図１７は、本発明の一実施例にかかるユーザ端末装置に表示される画面を模式的に示した図である。
【発明を実施するための形態】
【００８２】
［１．実施例］
以下に、本発明の一実施例として、クーポン配布システム１の構成および動作を説明する。クーポン配布システム１は、インターネットを介してクーポンサイトにアクセスしてきた一般消費者（以下、「ユーザ」という）に対し、クイズに正答することを条件にクーポンの付与を行うシステムである。
【００８３】
クイズの内容は広告要素を含み、クーポンの付与に伴うクイズの配信数に応じて、クイズの出題者、すなわち広告主に対しクーポン配布システム１の管理事業者から広告配信に伴う課金が行われる。一方、クーポン発行者に対しては、クーポンの発行数に応じて、クーポン配布システム１の管理事業者から広告配信協力に対する報酬の支払いが行われる。なお、クーポン配布システム１においては、ユーザがクイズに正答しない限りクーポンの発行は行われないので、クーポンの発行数はクイズが正答された回数と同義である。
【００８４】
また、クーポン配布システム１においては、広告を目的としてクイズを出題するため、そのクイズの出題形式に工夫が凝らされている。まず、ユーザの端末装置に正答が表示される。ユーザがその正答を記憶した後、次の画面表示を指示すると、回答入力欄が表示される。なお、回答入力欄の表示画面において正答は表示されないため、ユーザが記憶力に頼って回答を行う必要がある。ユーザが先に記憶した正答を回答入力欄に正しく入力できるまで、正答の表示と回答入力欄の表示が繰り返される。ユーザが回答入力欄に正答を正しく入力すると、ユーザに対し目的のクーポンが付与される。
【００８５】
さらに、クーポン配布システム１においては、上記のようにクーポンの獲得に伴い一度ユーザに出題された同じクイズが、１日が経過したタイミングで再度出題される。そのユーザの記憶にクイズの内容を長期間、定着させるためである。
【００８６】
また、クーポン配布システム１においては、既にユーザが獲得しているクーポンの有効期限が近づいてきた際に通知する機能や、クーポンの使用可能な店舗の近くにユーザがいる時にそれを通知する機能など、クーポンの利用を促す仕組みも組み込まれている。
【００８７】
また、クーポン配布システム１においては、クーポンの不正利用等の防止のため、クーポンの使用履歴を記録し、店舗の管理者等が閲覧できる仕組みも組み込まれている。
【００８８】
図１は、クーポン配布システム１の全体構成を示した図である。クーポン配布システム１は、ユーザが携帯しクーポンの獲得等に使用するユーザ端末装置１１と、クーポンの配布を行うクーポンサイトの配信を行うＷｅｂサーバとして機能するとともにクイズ形式の広告を配信する広告配信サーバとしても機能するサーバ装置１２と、店舗に配置されクーポンの使用ログを示すデータをサーバ装置１２に送信するために店員が使用する店舗端末装置１３とを備えている。
【００８９】
ユーザ端末装置１１の数はクーポン配布システム１を利用するユーザの数に応じて変動する。同様に、店舗端末装置１３の数はクーポン配布システム１を利用する店舗の数に応じて変動する。
【００９０】
サーバ装置１２の数は１つでよいが、互いに連携動作する複数のサーバ装置群によりサーバ装置１２が構成されていてもよい。例えば、ロードバランサーの元で分散処理を行うサーバ装置群をサーバ装置１２として用いることで、処理の安定性や高速化を図ることができる。
【００９１】
ユーザ端末装置１１とサーバ装置１２、ユーザ端末装置１１と店舗端末装置１３は、互いにインターネット１９を介してデータ通信が可能である。なお、ユーザ端末装置１１、サーバ装置１２および店舗端末装置１３がインターネット１９にアクセスする方法は、有線ＬＡＮ（Local Area Network）や無線ＬＡＮによる方法、移動通信網を介する方法など、それらの装置が備える通信インタフェース等に応じて、いずれの方法が採用されてもよい。
【００９２】
ユーザ端末装置１１は、典型的には携帯電話機能を備えたＰＤＡ（Personal Digital Assistance）であるスマートフォンであるが、必ずしも携帯電話機能を備える必要はなく、本実施例にかかるユーザ端末装置用のアプリケーションプログラムに従った処理を実行可能な携帯端末装置であればよい。
【００９３】
ただし、クーポン配布システム１が提供する全てのサービスを利用するためには、ユーザ端末装置１１はカメラを内蔵し、ＧＰＳ（Global Positioning System）機能もしくは簡易位置情報取得機能を備えている必要がある。なお、簡易位置情報取得機能とは、携帯端末装置が最寄りの基地局（複数）との間で送受信する電波強度から携帯端末装置のおおよその現在位置を特定し、その現在位置を示す現在位置データを携帯端末装置において利用可能とする仕組みである。
【００９４】
ユーザ端末装置１１は、ハードウェア上は一般的な携帯端末装置であるため、そのハードウェア構成の説明は省略する。ユーザ端末装置１１のユーザは、クーポン配布システム１を利用するにあたり、ユーザ端末装置用のアプリケーションプログラム（以下、「アプリ」という）の配信サイトにユーザ端末装置１１のＷｅｂブラウザ機能を用いてアクセスし、ユーザ端末装置用のアプリをユーザ端末装置１１にダウンロードし、インストールする。
【００９５】
ユーザ端末装置１１は、インストールされたユーザ端末装置用のアプリに従った各種処理を行うことで、少なくとも以下の機能構成部を備える装置として機能する。
（送信部）サーバ装置１２に対し各種データを送信する。
（受信部）サーバ装置１２から各種データを受信する。
（表示部）ユーザに対し各種情報を表示により通知する。
（生成部）ユーザの操作を受け付け、その操作に応じたデータを生成することでユーザ端末装置１１に対しユーザにより入力されたデータを生成する。
（照合部）サーバ装置１２から受信部が受信したクイズの正答を示す正答データと生成部が生成したユーザにより入力された回答を示す回答データの照合を行う。
（記憶部）各種データを記憶する。
（撮像部）二次元コードを撮影する。
（デコード部）撮像部により撮影され生成された二次元コードの画像データをデコードし、クーポンＩＤなどのデータを生成する。
（計時部）定期的に受信部により時刻サーバから受信される現在時刻データに従い現在時刻を設定し、現在時刻からの経過時間を継続的に計測することで常時、現在時刻を示す現在時刻データを生成する。
（現在位置取得部）ユーザ端末装置１１の現在位置を示す現在位置データを取得する。
【００９６】
サーバ装置１２は、ハードウェア上は一般的なサーバ装置である。従って、そのハードウェア構成の説明は省略する。サーバ装置１２の管理者、すなわちクーポン配布システム１の管理事業者は、サーバ装置用のアプリをサーバ装置１２にインストールする。
【００９７】
サーバ装置１２は、インストールされたサーバ装置用のアプリに従った各種処理を行うことで、（１）クーポンサイトを配信するＷｅｂサーバ、（２）クイズ形式の広告を配信する広告配信サーバ、（３）クーポンの発行ログや使用ログなどを管理する管理サーバ、といった複数のサーバとして機能する。
【００９８】
それらのサーバとして機能するにあたり、サーバ装置１２は少なくとも以下の機能構成部を備える。
（記憶部）各種データを記憶する。
（受信部）ユーザ端末装置１１および店舗端末装置１３から各種データを受信する。
（選択部）記憶部に記憶されている複数の質問正答データ（クイズの内容を示すデータ）の中からユーザ端末装置１１に送信する質問正答データを選択する。
（送信部）ユーザ端末装置１１および店舗端末装置１３に対し各種データを送信する。
（算出部）広告主に対する課金額およびクーポン発行者に対する報酬額を算出する。
【００９９】
店舗端末装置１３は、典型的にはノートＰＣ（Personal Computer）もしくはデスクトップＰＣであるが、スマートフォンやタブレットＰＣなど他の形態のＰＣであってもよい。
【０１００】
店舗端末装置１３は、ハードウェア上は一般的なＰＣであるため、そのハードウェア構成の説明は省略する。店舗端末装置１３の管理者、すなわち店舗の管理者は、クーポン配布システム１により配布したクーポンの使用を店舗において受け付けるにあたり、例えばサーバ装置１２上の指定されたＵＲＬ（Uniform Resource Locator）に店舗端末装置１３のＷｅｂブラウザ機能を用いてアクセスし、店舗端末装置用のアプリを店舗端末装置１３にダウンロードし、インストールする。
【０１０１】
店舗端末装置１３は、インストールされた店舗端末装置用のアプリに従った各種処理を行うことで、少なくとも以下の機能構成部を備える装置として機能する。
（送信部）サーバ装置１２に対し各種データを送信する。
（受信部）サーバ装置１２から各種データを受信する。
（表示部）店員に対し各種情報を表示により通知する。
（生成部）店員の操作を受け付け、その操作に応じたデータを生成することで店舗端末装置１３に対し店員により入力されたデータを生成する。
（記憶部）各種データを記憶する。
【０１０２】
サーバ装置１２の記憶部には、以下の各種データテーブルが記憶されている。
（クイズマスターテーブル）クイズの内容等に関するデータを格納する。
（クイズ出題ログテーブル）出題されたクイズに関するデータを格納する。
（クーポンマスターテーブル）クーポンの内容等に関するデータを格納する。
（発行済みクーポンテーブル）発行されたクーポンに関するデータを格納する。
（クーポン使用ログテーブル）使用されたクーポンに関するデータを格納する。
（アイテムマスターテーブル）クーポンに伴いユーザに対し付与される電子アイテムの内容等に関するデータを格納する。
（アイテムグループテーブル）複数アイテムをグループ化したグループに関するデータを格納する。
（付与済みアイテムテーブル）付与されたアイテムに関するデータを格納する。
【０１０３】
以下に上記の各データテーブルのデータ構成とともに、それらのデータテーブルのデータを用いて行われるクーポン配布システム１の動作の概要を説明する。
【０１０４】
図２は、クイズマスターテーブルのデータ構成を模式的に示した図である。クイズマスターテーブルは、クイズに関するデータレコードの集まりであり、各データレコードは以下のデータフィールドを備えている。
（クイズＩＤ）クイズを識別するクイズＩＤを格納する。
（広告主ＩＤ）クイズの出題者、すなわち広告主を識別する広告主ＩＤを格納する。
（質問）クイズの質問を示す質問データを格納する。
（正答）クイズの正答を示す正答データを格納する。なお、質問データと正答データを併せて「質問正答データ」と呼ぶ。
（案内）クイズに関連する商品・サービス・企業などのより詳しい案内を示す案内データを格納する。
【０１０５】
クーポン配布システム１においては、クイズの形式が、「○○といえば××」という形式のフレーズの「××」部分を質問する形式に統一されている。「○○」には、例えば「接客第一の家電量販店」のような商品・サービス・企業等の特徴やイメージを示す言葉が入り、「××」には、例えば「ＡＢＣ電器」のような商品名・サービス名・企業名などの広告対象の名称が入る。従って、この例の場合、質問データは「接客第一の家電量販店といえば」となり、正答データは「ＡＢＣ電器」となる。一方、案内データには特に定まった形式はない。
【０１０６】
サーバ装置１２がユーザ端末装置１１からのリクエストに応じてユーザ端末装置１１に対し質問正答データの送信を行う場合には、このクイズマスターテーブルからいずれかのデータレコードを選択し、選択したデータレコードに含まれる質問正答データを送信する。
【０１０７】
サーバ装置１２がクイズマスターテーブルに格納されている多数の質問正答データの中から、ユーザ端末装置１１からのリクエストに応じて１つの質問正答データを選択する方法は、基本的にランダム選択である。
【０１０８】
ただし、サーバ装置１２は、リクエストされたクーポンとの相性が悪いクイズを選択しないように、後述するクーポンマスターテーブル（図４）を参照し、そのデータテーブルに格納されている禁忌ＩＤにより識別されるクイズに関しては選択肢から除外する。
【０１０９】
また、サーバ装置１２は、過去に出題したクイズを偶然、同じユーザに出題しないように、後述するクイズ出題ログテーブル（図３）を参照し、そのデータテーブルにリクエスト元のユーザ端末装置１１の端末ＩＤとともに格納されているクイズＩＤのクイズは選択肢から除外する。
【０１１０】
ここで重要であるのは、ユーザによりリクエストされるクーポンと、ユーザに出題されるクイズが固定的に対応付けられておらず、サーバ装置１２において、偶然性を伴う方法で多数のクイズの中からクーポン獲得のためのクイズが選択される、という点である。そのため、直接的には無関係なクーポンの発行者と広告主とがクーポン配布システム１を利用して、各々互恵的にクーポンの配布と広告の配信を行うことができる。
【０１１１】
図３は、クイズ出題ログテーブルのデータ構成を模式的に示した図である。クイズ出題ログテーブルは、過去にいずれかのユーザ端末装置１１に対し出題されたクイズのログを示すデータレコードの集まりであり、各データレコードは以下のデータフィールドを備えている。
（出題時刻）クイズが出題された時刻を示す時刻データを格納する。
（クイズＩＤ）出題されたクイズを識別するクイズＩＤを格納する。
（端末ＩＤ）クイズの出題先のユーザ端末装置１１を識別する端末ＩＤを格納する。
（クーポンＩＤ）クイズが正答された場合にユーザ端末装置１１に対し発行されたクーポンを識別するクーポンＩＤを格納する。
（再出題処理済み）クイズが（出題時刻）において出題された後、約１日後に再出題のための処理が実行されたか否かを示すフラグデータを格納する。クイズそれ自体が既に再出題のクイズである場合、このデータフィールドは空欄となる。
【０１１２】
なお、クイズが出題された時刻としては、例えばサーバ装置１２からユーザ端末装置１１に質問正答データが送信された時刻や、ユーザ端末装置１１において質問データに従い質問が表示された時刻など、いくつかの候補が考えられるが、クーポン配布システム１においては、例として、サーバ装置１２からユーザ端末装置１１に質問正答データが送信された時刻をクイズが出題された時刻としている。
【０１１３】
サーバ装置１２は質問正答データをユーザ端末装置１１に送信すると、このクイズ出題ログテーブルに新しいデータレコードを追加し、そのデータレコードの（出題時刻）（クイズＩＤ）（端末ＩＤ）にそれぞれ、その時点の時刻、クイズマスターテーブルから選択したデータレコードのクイズＩＤ、質問正答データの送信先のユーザ端末装置１１の端末ＩＤを格納する。
【０１１４】
また、サーバ装置１２は、ユーザにより正答の入力が行われたことを示す正答通知データをユーザ端末装置１１から受信すると、それに応じてユーザからリクエストされているクーポンを示すクーポンデータをユーザ端末装置１１に送信するが、その際、先にクイズ出題ログテーブルに追加したデータレコードの（クーポンＩＤ）に送信したクーポンのクーポンＩＤを格納する。従って、クイズは出題されたがユーザにより正答の入力が行われなかった場合、クイズ出題ログテーブルのデータレコードにおける（クーポンＩＤ）は空欄のままとなる。
【０１１５】
図４は、クーポンマスターテーブルのデータ構成を模式的に示した図である。クーポンマスターテーブルは、クーポンに関するデータレコードの集まりであり、各データレコードは以下のデータフィールドを備えている。
（クーポンＩＤ）クーポンを識別するクーポンＩＤを格納する。
（発行者ＩＤ）クーポンの発行者を識別する発行者ＩＤを格納する。
（クーポン画像）ユーザ端末装置１１の表示部に表示されるクーポン画像を示す画像データを格納する。
（内容）クーポンの内容を示す内容データを格納する。クーポンの内容とは、例えば「××の購入者にもれなく○○を差し上げます。」「飲食料金を○○％ＯＦＦ、同伴者×名様まで有効。」などのクーポンによりユーザに与えられる特典の内容である。
（ジャンル）クーポンの発行者の提供する商品・サービスのジャンルを示すジャンルデータを格納する。ジャンルデータは、例えば「食品−スイーツ」、「健康−エステ」などであり、ユーザが獲得したいクーポンを検索する際に利用される。
（キーワード）クーポンの内容等に関するキーワード（複数可）を示すテキストデータを格納する。キーワードデータもジャンルデータと同様に、ユーザが獲得したいクーポンを検索する際に利用される。
（有効期間）クーポンの有効期間（開始時刻と終了時刻、もしくは終了時刻のみ）を示すデータを格納する。このデータフィールドに格納されるデータとしては、例えば「○○○年○○月○○日〜○○○年○○月○○日」のように固定的な期間を示すものや、「発行日から○○日間」のように変動的な期間を示すものなどがある。
（使用可能回数）クーポンの使用可能回数を示す回数データを格納する。なお、使用可能回数に制限がない場合、このデータフィールドは空欄となる。
（使用可能場所）クーポンを使用可能な店舗の場所に関するデータを格納する。具体的には、店舗を識別する店舗ＩＤ、店舗の位置を示す店舗位置データ、店舗の名称を示す店舗名データ、店舗の住所を示す店舗住所データがこのデータフィールドに格納される。なお、同じクーポンが複数の店舗で使用可能な場合には、このデータフィールドに、それらの店舗の各々に応じた店舗ＩＤ、店舗位置データ、店舗名データ、店舗住所データが格納される。
（グループ化時間）同じ時間帯内に同じクーポンＩＤのクーポンが複数のユーザからリクエストされた際、それらのユーザを１つのユーザグループとしてグループ化し、ユーザグループに対し１つのクーポンを発行する、というタイプのクーポンに関し、その時間帯の幅を示す時間データを格納する。個々のユーザに対してのみ発行されるクーポンに関しては、このデータフィールドは空欄となる。
（リピート用クーポンＩＤ）あるクイズの出題に伴いこのクーポンが発行された後、１日が経過した時点で再度、同じクイズの出題が行われる際、発行されるクーポンのクーポンＩＤを格納する。ユーザにとって複数枚獲得する価値のあるクーポンであれば、同じデータレコードの（クーポンＩＤ）と（リピート用クーポンＩＤ）が同じであってもよい。
（禁忌ＩＤ）このクーポンの発行に伴い出題されるクイズの広告主として不適当である広告主の広告主ＩＤ（複数可）や、不適当であるクイズのクイズＩＤ（複数可）を格納する。例えば、クーポンの発行主とクイズの広告主が競業他社であると不都合が生じるため、このデータフィールドにはその競業他社の広告主の広告主ＩＤが格納される。また、例えば飲食物に関するクーポンの獲得のために下剤のクイズが出題されるのは不都合であるため、このデータフィールドにはその下剤のクイズのクイズＩＤが格納される。
【０１１６】
上記の（グループ化時間）につき説明を補う。例えば、このデータフィールド（グループ化時間）に「１０分」というデータが格納されており、このデータレコードの（内容）に「飲食料金を○○％ＯＦＦ。」というデータが格納されているとする。この場合、飲食店を一緒に訪れた複数のユーザが、テーブルに置かれている二次元コードを１０分以内の概ね同じタイミングで各自のユーザ端末装置１１で撮影すると、サーバ装置１２はそれらのユーザ端末装置１１のユーザを同じグループのユーザとして認識する。その後、ユーザが全員クイズに正答すると、個々のユーザに対してではなく、ユーザグループに対し１つのクーポンが発行される。
【０１１７】
このように、グループに対しクーポンの発行が行われることで、会計の際、全てのユーザが各々クーポンを提示することなく、いずれか１人のユーザがクーポンを提示することで、全員分の飲食料金に対する割引を受けることができる。
【０１１８】
サーバ装置１２は、クーポンサイトにおいてクーポンマスターテーブルに格納されているデータテーブルの中から、ユーザにより指定された条件を満たすものを抽出し、それらを選択肢リストとしてユーザ端末装置１１に送信することで、ユーザにクーポンの選択を促し、ユーザがクーポンの選択の後、クイズに正答した場合、選択されたクーポンのデータテーブルの概ねコピーをユーザ端末装置１１に送信することで、ユーザに対するクーポンの付与を行う。
【０１１９】
図５は、発行済みクーポンテーブルのデータ構成を模式的に示した図である。発行済みクーポンテーブルは、発行済みのクーポンに関するデータレコードの集まりであり、各データレコードは以下のデータフィールドを備えている。
（発行時刻）クーポンが発行された時刻を示す時刻データを格納する。
（クーポンＩＤ）発行されたクーポンのクーポンＩＤを格納する。
（端末ＩＤ）クーポンの発行先のユーザ端末装置１１の端末ＩＤを格納する。
（クーポンコード）発行された同種のクーポン（同じクーポンＩＤのクーポン）からこのクーポンを識別するコードであるクーポンコードを格納する。
（有効期間）発行されたクーポンの有効期間を示す期間データを格納する。なお、クーポンマスターテーブル（図４）の（有効期間）に「発行日から○○日間」などの変動的な期間を示すデータが格納されているクーポンに関しては、このデータフィールドにはその変動を加味した実際の期間（例えば、（発行時刻）から○○日間）を示す期間データが格納される。
（使用可能残回数）発行されたクーポンに使用可能回数の制限がある場合、その使用可能回数から使用回数を差し引いた回数を示す回数データを格納する。使用可能回数に制限がない場合、このデータフィールドは空欄となる。
【０１２０】
サーバ装置１２はいずれかのユーザ端末装置１１にクーポンを発行すると、発行済みクーポンテーブルに新しいデータレコードを追加し、追加したデータレコードに発行したクーポンに関するデータを格納する。また、発行済みクーポンテーブルはユーザがクーポンを使用する際に参照され、その有効／無効が確認されるとともに、クーポンに使用可能回数の制限がある場合、使用に伴い（使用可能残回数）の更新が行われる。
【０１２１】
図６は、クーポン使用ログテーブルのデータ構成を模式的に示した図である。クーポン使用ログテーブルは、クーポンの使用ログに関するデータレコードの集まりであり、各データレコードは以下のデータフィールドを備えている。
（使用時刻）クーポンが使用された時刻を示す時刻データを格納する。
（店舗ＩＤ）クーポンが使用された店舗を識別する店舗ＩＤを格納する。
（クーポンＩＤ）使用されたクーポンのクーポンＩＤを格納する。
（クーポンコード）使用されたクーポンのクーポンコードを格納する。
【０１２２】
ユーザがクーポンを使用する場合、レジの店員にクーポンコードの含まれるクーポン画像を表示させたユーザ端末装置１１を提示する。店員が店舗端末装置１３にそのクーポンコードを入力すると、店舗端末装置１３からサーバ装置１２にクーポンコードの照会が行われ、そのクーポンコードで識別されるクーポンの有効／無効が確認される。クーポンが有効である場合、店員は代金を割り引いたり、特典の品を顧客（ユーザ）に渡したりする。
【０１２３】
このクーポンコードの照会処理に伴い、店舗端末装置１３からサーバ装置１２には、その店舗の店舗ＩＤが送信される。サーバ装置１２は、店舗端末装置１３から送信されてくるクーポンコードにより、発行済みクーポンテーブルを参照してそのクーポンの有効性を確認すると、クーポンが有効である旨を店舗端末装置１３に通知するとともに、クーポン使用ログテーブルに新しいデータレコードを追加し、そのデータレコードにデータを格納する。
【０１２４】
サーバ装置１２は、店舗の管理者が使用する端末装置（図示略）からの照会に応じて、クーポン使用ログテーブルおよびクーポンマスターテーブルを参照し、その店舗で指定された期間内に使用されたクーポンの使用時刻やその内容などをリストとして店舗の管理者の端末装置に送信する。その結果、店舗の管理者は、レジにおいて割り引かれた金額や顧客に配布された特典の品の数などを確認することで、クーポンの不正利用（例えば、店員がクーポンの利用がないのにクーポンの利用があったものとして代金を割り引くなど）を防止もしくは抑止することができる。
【０１２５】
図７は、アイテムマスターテーブルのデータ構成を模式的に示した図である。アイテムマスターテーブルは、クーポンの付与に伴い、いわゆる「おまけ」として付与される電子アイテムに関するデータレコードの集まりであり、各データレコードは以下のデータフィールドを備えている。
（アイテムＩＤ）アイテムを識別するアイテムＩＤを格納する。
（アイテム名）アイテムの名称を示すアイテム名データを格納する。
（アイテム画像）アイテムの画像を示す画像データを格納する。
【０１２６】
クーポン配布システム１においては、このアイテムマスターテーブルと、後述するアイテムグループテーブルにより特定されるグループ化された複数のアイテムが、所定の期間内においてクーポンの付与に伴いランダムにユーザに付与される。そして、アイテムグループ内の全てのアイテムが付与されると、そのユーザにそれらのアイテムにちなんだ特典映像が配信される。アイテム画像は、例えば人気のアニメシリーズのキャラクタ、人気アイドルグループのアイドルの写真などであり、特典映像は、例えばそのアニメの映像やアイドルグループのビデオレターなどである。この仕組みは、ユーザの継続的なクーポン獲得およびクイズへの参加を促すための仕組みである。
【０１２７】
図８は、アイテムグループテーブルのデータ構成を模式的に示した図である。アイテムグループテーブルは、クーポンの付与に伴い「おまけ」として付与される電子アイテムをグループ化したアイテムグループに関するデータレコードの集まりであり、各データレコードは以下のデータフィールドを備えている。
（グループＩＤ）アイテムグループを識別するグループＩＤを格納する。
（グループ名）アイテムグループの名称を示すグループ名データを格納する。
（コレクションボックス画像）アイテム画像を並べて表示する仮想的なコレクションボックスの画像を示す画像データを格納する。
（アイテムＩＤ）このアイテムグループに属するアイテムのアイテムＩＤを格納する。このデータフィールドには複数のアイテムＩＤが格納される。
（付与期間）このアイテムグループに属するアイテムの付与される期間を示す期間データを格納する。
（特典映像）このアイテムグループに属する全アイテムの付与を受けたユーザのユーザ端末装置１１に対し配信される特典映像を示す音声付き動画データを格納する。
【０１２８】
サーバ装置１２は、クーポンを付与する際、アイテムマスターテーブルおよびアイテムグループテーブルを参照して、有効期間内のアイテムグループに属するアイテムのデータレコードをランダムに１つ、アイテムマスターテーブルから選択し、選択したデータレコードのコピーをアイテムデータとしてユーザ端末装置１１に送信することで、ユーザに対するアイテムの付与を行う。
【０１２９】
図９は、付与済みアイテムテーブルのデータ構成を模式的に示した図である。付与済みアイテムテーブルは、付与済みのクーポンに関するデータレコードの集まりであり、各データレコードは以下のデータフィールドを備えている。
（アイテムＩＤ）付与されたアイテムのアイテムＩＤを格納する。
（端末ＩＤ）アイテムの付与先のユーザ端末装置１１の端末ＩＤを格納する。
（特典付与済み）アイテムグループ内の全アイテムが揃い特典映像の配信が完了したか否かを示すフラグデータを格納する。
【０１３０】
サーバ装置１２は、アイテムを付与すると、この付与済みアイテムテーブルに新しいデータレコードを追加して、追加したデータレコードに付与したアイテムに関するデータを格納する。
【０１３１】
その際、サーバ装置１２は付与済みアイテムテーブルおよびアイテムグループテーブルを参照することで、新たにそのユーザにアイテムが付与されたことで、そのアイテムが属すアイテムグループの全アイテムが揃ったか否かをチェックする。新たに全アイテムが揃った場合、サーバ装置１２はそのユーザのユーザ端末装置１１に対し、アイテムグループテーブルの該当するアイテムグループのデータレコードの（特典映像）に格納されている音声付き動画データを送信する。サーバ装置１２は音声付き動画データの送信を完了すると、付与済みアイテムテーブルの該当するデータレコードの（特典付与済み）を「Ｙｅｓ」を示すフラグに書き換える。
【０１３２】
以上がサーバ装置１２の記憶部に記憶されている各種データテーブルのデータ構成およびそれらのデータテーブルのデータを用いて行われるクーポン配布システム１の動作の概要であるが、上述したクーポン配布システム１の動作に伴いユーザにより獲得されるクーポンおよびアイテムに関するデータを管理するために、ユーザ端末装置１１の記憶部には、以下のデータテーブルが記憶されている。
（獲得クーポンテーブル）ユーザが獲得済みのクーポンに関するデータを格納する。
（獲得アイテムテーブル）ユーザが獲得済みのアイテムに関するデータを格納する。
【０１３３】
以下に上記の各データテーブルのデータ構成とともに、それらのデータテーブルのデータを用いて行われるクーポン配布システム１の動作の概要を説明する。
【０１３４】
図１０は、獲得クーポンテーブルのデータ構成を模式的に示した図である。獲得クーポンテーブルは、ユーザにより既に獲得されているクーポンに関するデータレコードの集まりであり、各データレコードは以下のデータフィールドを備えている。
（クーポンＩＤ）クーポンのクーポンＩＤを格納する。
（クーポンコード）クーポンのクーポンコードを格納する。
（クーポン画像）クーポンのクーポン画像データを格納する。
（内容）クーポンの内容を示すデータを格納する。
（有効期間）クーポンの有効期間を示す期間データを格納する。
（使用可能場所）クーポンの使用可能な場所に関するデータを格納する。
（使用可能残回数）クーポンに使用可能回数の制限がある場合、あと何回使用可能であるかを示す回数データを格納する。
（使用ログ）クーポンが過去に使用されている場合、その使用時刻を示す時刻データと使用場所を示す店舗ＩＤを格納する。
（有効期限通知済み）クーポンの有効期限が近づいた際の通知を行ったか否かを示すフラグデータを格納する。
【０１３５】
ユーザ端末装置１１は、クーポンの獲得に際し、サーバ装置１２から上記のデータフィールドのうち（使用ログ）を除くデータフィールドのデータをクーポンデータとして受信する。ユーザ端末装置１１はクーポンデータを受信すると、獲得クーポンテーブルに新しいデータレコードを追加して、追加したデータレコードに受信したクーポンデータを格納する。
【０１３６】
なお、クーポンが使用されると、上述したように、店舗端末装置１３とサーバ装置１２との間でデータ通信が行われ、その使用ログに関するデータレコードがサーバ装置１２のクーポン使用ログテーブル（図６）に追加される。サーバ装置１２は、クーポン使用ログテーブルに新たにデータレコードを追加した場合、その追加したデータレコードのコピーをユーザ端末装置１１に送信する。ユーザ端末装置１１はサーバ装置１２から送信されてくるデータレコードに従い、獲得クーポンテーブルの使用されたクーポンに関するデータレコードの（使用可能残回数）および（使用ログ）を更新する。
【０１３７】
獲得クーポンテーブルに格納されているデータは、例えばクーポンの使用時などにクーポン画像の表示のために利用されるほか、有効期限が迫っている（例えば１週間以内に有効期限が訪れる）クーポンの通知やユーザ端末装置１１の現在位置から所定距離以内（例えば半径５００メートル以内）の店舗で利用可能なクーポンの通知などの処理にも用いられる。
【０１３８】
図１１は、獲得アイテムテーブルのデータ構成を模式的に示した図である。獲得アイテムテーブルは、ユーザにより既に獲得されているアイテムに関するデータレコードの集まりであり、各データレコードは以下のデータフィールドを備えている。
（アイテムＩＤ）アイテムを識別するアイテムＩＤを格納する。
（アイテム名）アイテムの名称を示すアイテム名データを格納する。
（アイテム画像）アイテムの画像を示す画像データを格納する。
【０１３９】
なお、同じユーザが同じアイテムを複数回、獲得した場合、２回目以降の同じアイテムの獲得においては獲得アイテムテーブルの更新は行われない。
【０１４０】
続いて、ユーザがクーポンを獲得する際のクーポン配布システム１の動作の流れを、ユーザ端末装置１１に表示される画面例（模式的なもの）を用いて説明する。なお、以下の説明においては、ユーザ端末装置１１はタッチパネルディスプレイを備えるスマートフォンであり、ユーザはユーザ端末装置１１に対する操作を主にタッチ操作で行うものとする。
【０１４１】
ユーザは、自分のサーバ装置１２にユーザ端末装置用のアプリ（これ以降の説明において、単に「アプリ」という場合、「ユーザ端末装置用のアプリ」を意味するものとする）をインストールすることで、クーポン配布システム１を利用可能となる。アプリのインストール時に、ユーザ端末装置１１はサーバ装置１２との間でデータ通信を行い、サーバ装置１２からユニークな端末ＩＤの割り当てを受け、その端末ＩＤを記憶する。
【０１４２】
なお、ユーザ端末装置１１の故障時やユーザがユーザ端末装置１１を変更する際のデータ移行のための仕組みについては、例えばサーバ装置１２が端末ＩＤの生成時にパスワードも生成し、それらを対応付けて記憶するとともに、ユーザ端末装置１１に対し端末ＩＤおよびパスワードを送信し、ユーザに端末ＩＤおよびパスワードを保管させる方法など、既知のものが採用可能であるため、ここではその説明を省略する。
【０１４３】
アプリが起動（常駐でもよい）している間、ユーザ端末装置１１がインターネット１９に接続されている限り、サーバ装置１２は既知の技術により、ユーザ端末装置１１に対しプッシュ型のデータ送信を行うことができる。なお、サーバ装置１２がプッシュ型のデータ送信をしようとした際、ユーザ端末装置１１においてアプリが起動していなかったり、ユーザ端末装置１１が移動通信網の電波の届かない場所にあった等の理由でインターネット１９に接続されていなかったりした場合、それらのデータはサーバ装置１２においてそのユーザ端末装置１１宛のデータとして送信キューに入れられ、次にユーザ端末装置１１がアプリを起動した状態でインターネット１９に接続された際に、そのユーザ端末装置１１に対しプッシュ送信される。
【０１４４】
また、ユーザ端末装置１１においてアプリが起動（常駐でもよい）している間、ユーザ端末装置１１とサーバ装置１２がデータ通信を行う際にはユーザ端末装置１１から端末ＩＤがサーバ装置１２に送信され、サーバ装置１２はその端末ＩＤにより通信相手のユーザ端末装置１１を識別することができる。
【０１４５】
図１２（ａ）は、アプリのメインメニュー画面を示している。メインメニュー画面には、以下のメニューが表示される。
「クーポン検索」クーポン検索のためのクーポンサイトへ移動する際に選択する。
「二次元コード撮影」リクエストするクーポンを二次元コードの撮影で行う際に選択する。
「獲得クーポン」既に獲得しているクーポンの情報を表示させる際に選択する。
「獲得アイテム」既に獲得しているアイテムの情報を表示させる際に選択する。
「特典映像」既に獲得している特典映像を再生する際に選択する。
【０１４６】
メインメニュー画面において、ユーザが「クーポン検索」ボタンをタップすると、図１２（ｂ）に示すようなクーポン検索画面が表示される。この画面でユーザが獲得したいと思うクーポンのジャンル、使用可能な場所を含むエリア、キーワードを必要に応じて入力し、「検索」ボタンをタップすると、ユーザ端末装置１１からサーバ装置１２に対し、入力されたそれらの検索条件を示すデータが送信される。サーバ装置１２はユーザ端末装置１１から受信した検索条件を示すデータに従いクーポンマスターテーブル（図４）から条件を満たすデータレコードを抽出し、抽出したデータレコードをユーザ端末装置１１に送信する。
【０１４７】
ユーザ端末装置１１は、サーバ装置１２から受信したデータレコードを用いて、図１２（ｃ）に示すようなクーポンリスト画面を表示する。ユーザがクーポンリスト画面において獲得したいクーポンをタップし「選択」ボタンをタップすると、ユーザ端末装置１１からサーバ装置１２に対し、タップによりユーザが選択したクーポンを要求するクーポン要求データが送信される。このクーポン要求データには、選択されたクーポンのクーポンＩＤが含まれている。
【０１４８】
サーバ装置１２は、クーポン要求データを受信すると、クイズマスターテーブル（図２）からランダムにデータレコードを１つ選択する。ただし、その際、要求されたクーポンと相性の悪いクイズに関するデータレコードと、このユーザ端末装置１１に過去に出題済みのクイズに関するデータレコードは選択肢から除外される点は既述のとおりである。サーバ装置１２は選択したデータレコードに含まれる質問正答データ（質問データと正答データの組）をユーザ端末装置１１に送信する。なおその際、サーバ装置１２において、クイズ出題ログテーブル（図３）の更新が行われる点は既述のとおりである。
【０１４９】
ユーザ端末装置１１は、サーバ装置１２から質問正答データを受信すると、そのデータを用いて、まず図１２（ｄ）に示すような正答表示画面を表示する。正答表示画面には、「接客第一の家電量販店といえば［ＡＢＣ電器］」のように、質問と正答の両方が表示される。なお、この場合、「接客第一の家電量販店といえば」の部分が質問であり、「［ＡＢＣ電器］」の部分が正答である。このように、［  ］により、ユーザが記憶すべき正答部分が示される。
【０１５０】
正答表示画面においてユーザが正答を記憶した後、「次へ」ボタンをタップすると、ユーザ端末装置１１は図１２（ｅ）に示すような回答入力画面を表示する。回答入力画面には、「接客第一の家電量販店といえば［          ］」のように、質問と回答入力欄が表示される。ユーザが回答入力欄に回答を入力し、「ＯＫ」ボタンをタップすると、ユーザ端末装置１１はユーザに入力された回答を示す回答データと、先にサーバ装置１２から受信した正答データとを照合する。
【０１５１】
回答データが正答データに一致しない場合、ユーザ端末装置１１は図１２（ｆ）に示すような再表示用の正答表示画面を表示する。ユーザは再表示用の正答表示画面において正答を再度、記憶した後、「次へ」ボタンをタップし、図１２（ｅ）に示した回答入力画面を再表示することで、正答に至るまで何度でも回答を行うことができる。
【０１５２】
回答データが正答データに一致した場合、ユーザ端末装置１１は正答の入力が行われたことを示す正答通知データを生成し、サーバ装置１２に送信する。サーバ装置１２は、ユーザ端末装置１１から送信されてくる正答通知データに応じて、リクエストされていたクーポンに関するクーポンデータと、ランダムに選択したアイテムデータとをユーザ端末装置１１に送信する。その際、サーバ装置１２において、発行済みクーポンテーブル（図５）や付与済みアイテムテーブル（図９）の更新が行われる点は既述のとおりである。
【０１５３】
ユーザ端末装置１１は、クーポンデータとアイテムデータを受信すると、まず、図１２（ｇ）に示すようなクーポン獲得通知画面を表示する。クーポン獲得通知画面には、新たに獲得されたクーポンの内容、有効期間、使用可能店舗などの情報が表示される。
【０１５４】
ユーザがクーポン獲得通知画面に表示される「獲得アイテムを見る」ボタンをタップすると、ユーザ端末装置１１は図１２（ｈ）に示すような獲得アイテム確認画面が表示される。獲得アイテム確認画面には、獲得されたアイテムの画像が表示されるとともに、既に獲得されているアイテムがコレクションボックスに並べられた画像が表示され、ユーザはあといくつアイテムを揃えることで特典映像が獲得できるかを知ることができる。
【０１５５】
新たに獲得したアイテムにより、アイテムグループの全アイテムが揃った場合、サーバ装置１２は上述したクーポンデータ、アイテムデータの送信に続き、そのアイテムグループに応じた特典映像を示す音声付き動画データをユーザ端末装置１１に送信する。その際、サーバ装置１２において、付与済みアイテムテーブル（図９）の更新が行われる点は既述のとおりである。
【０１５６】
ユーザ端末装置１１は、新たな音声付き動画データの受信を完了すると、図１２（ｉ）に示すように、その旨をポップアップ表示する。ユーザは、ポップアップ表示に含まれる「今すぐ再生」ボタンをタップするか、メインメニュー画面（図１２（ａ））の「特典映像」ボタンをタップしリストから対象の特典映像を選択することで、特典映像の視聴を行うことができる。
【０１５７】
以上がユーザによりクーポンの獲得が行われる際にクーポン配布システム１において行われる動作の説明である。
【０１５８】
サーバ装置１２は、ユーザ端末装置１１に対するクーポンおよびアイテム、そして必要に応じて特典映像の送信を完了した後、出題したクイズに対応する案内データをユーザ端末装置１１にプッシュ配信する。ユーザ端末装置１１は、サーバ装置１２からプッシュ配信された案内データの内容をポップアップ表示する。そのポップアップ表示により、ユーザは自分がクイズによって名前を記憶した企業や商品、サービス等のより詳しい情報を知ることができる。
【０１５９】
また、サーバ装置１２は、１日後に同じクイズへの参加を促す案内をユーザ端末装置１１に対しプッシュ配信する。この再出題のクイズに参加するか否かはユーザの自由であるが、ユーザは再出題のクイズに参加することで、新たなクーポンを獲得することができる。
【０１６０】
クイズを再出題する際のクーポン配布システム１の動作は以下のとおりである。まず、サーバ装置１２は、クイズ出題ログテーブル（図３）を定期的にチェックし、（出題時刻）に示される時刻から２４時間が経過しており、（再出題処理済み）が「Ｎｏ」であるデータレコードを抽出する。
【０１６１】
サーバ装置１２は、抽出したデータレコードの各々に関し、まず（クイズＩＤ）を検索キーとしてクイズマスターテーブル（図２）から検索したデータレコードを再出題のためのクイズ用のデータとして準備する。また、サーバ装置１２は、（クーポンＩＤ）を検索キーとしてクーポンマスターテーブル（図４）から検索したデータレコードの（リピート用クーポンＩＤ）を検索キーとして、再度、クーポンマスターテーブル（図４）から検索したデータレコードを、クイズに正答したユーザに付与するクーポン用のデータとして準備する。
【０１６２】
続いて、サーバ装置１２は上記のように準備したデータに従い、ユーザに対し再出題のクイズへの参加を促すメッセージを生成し、先にクイズ出題ログテーブルから抽出したデータレコードの（端末ＩＤ）で識別されるユーザ端末装置１１に対し、各々生成したメッセージをプッシュ配信する。
【０１６３】
ユーザ端末装置１１は、図１３に示されるように、サーバ装置１２からプッシュ配信されたメッセージをポップアップ表示する。再出題のクイズへの参加を促すメッセージには、概ね１日前に出題されたクイズの質問と、そのクイズに正答すると付与されるクーポンの情報が示されている。
【０１６４】
ユーザがそのポップアップ表示において「トライしない」ボタンをタップすると、ユーザ端末装置１１はその旨を示す不参加通知データをサーバ装置１２に送信するとともに、ポップアップ表示を閉じ、その後、特段の処理を行わない。また、サーバ装置１２は、ユーザ端末装置１１から不参加通知データを受信すると、クイズ出題ログテーブル（図３）の該当するデータレコードの（再出題処理済み）に「Ｙｅｓ」を書き込み、再出題に伴う処理を完了する。
【０１６５】
ユーザが再出題のクイズへの参加を促すポップアップ表示において「トライする」ボタンをタップすると、図１２（ｅ）〜（ｉ）を用いて説明した一連の処理がユーザ端末装置１１およびサーバ装置１２において実行される。これにより、ユーザは新たにクーポンとアイテム、そして場合によっては特典映像を獲得することができる。
【０１６６】
続いて、ユーザが既に獲得しているクーポンを使用する際のクーポン配布システム１の動作を説明する。
【０１６７】
ユーザは、図１２（ａ）に示したメインメニュー画面の「獲得クーポン」ボタンをタップする。その操作に応じて、ユーザ端末装置１１は獲得クーポンテーブル（図１０）のデータを用いて、図１４（ａ）に示すような獲得済みのクーポンリストを表示する。このクーポンリストには、現在有効なクーポンのみがリスト表示される。
【０１６８】
ユーザがクーポンリストから使用するクーポンを選択しタップすると、ユーザ端末装置１１は図１４（ｂ）に示すようなクーポン画像を表示する。そのクーポン画像には、クーポンの内容等に加え、クーポンコードが含まれている。
【０１６９】
ユーザは、上記のようにクーポン画像が表示されたユーザ端末装置１１を店舗のレジの店員に提示する。店員はユーザ（顧客）から提示されたクーポン画像に含まれるクーポンコードを店舗端末装置１３に入力し、「照会」ボタンをクリック等する。その操作に応じて、店舗端末装置１３からサーバ装置１２にクーポンコード照会データが送信される。そのクーポンコード照会データには、店員により入力されたクーポンコードと、店舗端末装置１３に予め記憶されている店舗ＩＤが含まれている。
【０１７０】
サーバ装置１２は、店舗端末装置１３から受信したクーポンコード照会データに含まれるクーポンコードを検索キーとして、発行済みクーポンテーブル（図５）からデータレコードを検索し、検索したデータレコードに含まれる（有効期間）および（使用可能残回数）に基づき、そのクーポンが有効であるか否かを判定する。なお、ここでクーポンコードはクーポンＩＤを識別するとともに、端末ＩＤを識別するデータとして用いられている。
【０１７１】
クーポンが有効である、と判定した場合、サーバ装置１２はクーポンが有効である旨を示すクーポン有効通知データを店舗端末装置１３に送信するとともに、記述のおとり、クーポン使用ログテーブル（図６）および発行済みクーポンテーブル（図５）の更新処理を行う。
【０１７２】
一方、クーポンが無効である、と判定した場合、サーバ装置１２はクーポンが無効である旨を示すクーポン無効通知データを店舗端末装置１３に送信する。このクーポン無効通知には、無効である理由を示すデータ（「有効期間前」、「有効期限切れ」、もしくは「使用回数オーバー」）が含まれている。
【０１７３】
なお、現在無効なクーポンは図１４（ａ）のクーポンリストにおいて本来表示されないため、通常、上記の判定においてクーポンが無効である、と判定されることはない。ただし、例えば電波の届かない場所でクーポンを使用した直後など、サーバ装置１２とユーザ端末装置１１との間で発行済みクーポンテーブル（図５）と獲得クーポンテーブル（図１０）との間のデータの同期が正しく行われていなければ、使用しようとしたクーポンが無効と判定される場合がある。
【０１７４】
店舗端末装置１３はサーバ装置１２から受信するクーポン有効通知データもしくはクーポン無効通知データに従い、その内容を店員に対し表示する。店員は、クーポンが有効であるとの通知が店舗端末装置１３に表示された場合には、クーポンの内容に従った代金の割引や特典品の贈呈などを行う。一方、クーポンが無効であるとの通知が店舗端末装置１３に表示された場合には、店員は割引や特典品の贈呈等は行わず、その理由をユーザ（顧客）に伝えることになる。
【０１７５】
以上が、クーポンが使用される際にクーポン配布システム１により行われる動作の説明である。
【０１７６】
クーポン配布システム１には、獲得済みのクーポンの使用をユーザに促すための仕組みが備わっている。その一つは、有効期限が近づいたクーポンをユーザに通知する機能である。
【０１７７】
ユーザ端末装置１１は、獲得クーポンテーブル（図１０）を定期的にチェックし、現在有効なクーポンを示すデータレコードのうち、（有効期間）の末時刻、すなわち有効期限が現在時刻から所定の時間内（例えば、１週間以内）であり、（有効期限通知済み）が「Ｎｏ」であるものを抽出する。
【０１７８】
ユーザ端末装置１１はデータレコードが抽出された場合、そのデータレコードの各々に従い、図１５（ａ）に示すようなポップアップ表示により、有効期限が迫ったクーポンがあることをユーザに通知する。
【０１７９】
クーポン配布システム１が備える、獲得済みのクーポンの使用をユーザに促すためのもう一つの仕組みは、使用可能場所が近くにあるクーポンをユーザに通知する機能である。
【０１８０】
ユーザ端末装置１１は、獲得クーポンテーブル（図１０）を定期的にチェックし、現在有効なクーポンを示すデータレコードのうち、現在位置取得部により継続的に取得している現在位置データにより示されるユーザ端末装置１１の現在位置から所定距離以内（例えば半径５００メートル以内）の位置を示す店舗位置データを（使用可能場所）に含むデータレコードを抽出する。
【０１８１】
ユーザ端末装置１１はデータレコードが抽出された場合、そのデータレコードの各々に従い、図１５（ｂ）に示すようなポップアップ表示により、現在位置から近くの店舗で使用可能なクーポンがあることをユーザに通知する。
【０１８２】
続いて、複数のユーザが１つのクーポンを獲得し使用する場合におけるクーポン配布システム１の動作につき補足的に説明する。
【０１８３】
既述のとおり、１つのクーポンを複数のユーザが獲得し使用するケースとして典型的なものは、飲食店を一緒に訪れた複数のユーザがその場で割引クーポンを獲得し使用する、という場合である。
【０１８４】
例えば、飲食店を訪れた複数のユーザは、テーブルに着いた後、テーブルに置かれている図１６に示すようなポップを目にして、全員がクイズに参加し正答することで、飲食代金が１０％ＯＦＦになる、ということを知る。ポップに印刷されている二次元コードはクーポンＩＤを示すが、テーブル毎にそのクーポンＩＤが異なっている。すなわち、クーポンＩＤが、クーポンの内容に加えテーブルを識別する役割も果たしている。
【０１８５】
ユーザは各々、自分のユーザ端末装置１１に図１２（ａ）に示したメインメニュー画面を表示させ、「二次元コード撮影」ボタンをタップする。ユーザ端末装置１１はそのタップ操作に応じて、カメラを起動し、ユーザの「撮影」ボタンのタップに応じて、テーブル上のポップに印刷されている二次元コードを撮影する。ただし、ポップの指示に従い、最初に二次元コードの撮影を行った人のその撮影時刻から１０分以内に他の全員が二次元コードの撮影を完了する必要がある。
【０１８６】
各々のユーザ端末装置１１は、ユーザの操作に応じて撮影した二次元コードを示す画像データをデコードしてクーポンＩＤを取得した後、そのクーポンＩＤを含むクーポン要求データを生成してサーバ装置１２に送信する。
【０１８７】
サーバ装置１２は、最初のユーザ端末装置１１からクーポン要求データを受信すると、クーポン要求データに含まれるクーポンＩＤを検索キーとして、クーポンマスターテーブル（図４）から要求されたクーポンに対応するデータテーブルを検索する。
【０１８８】
この場合、（グループ化時間）が「１０分」であるデータレコードが検索される。その後、１０分以内に、同じクーポンＩＤを含むクーポン要求データを受信した場合、サーバ装置１２はそれらのクーポン要求データを、１つのクーポンを要求する１群のクーポン要求データとして対応付ける。
【０１８９】
その後、サーバ装置１２はユーザ端末装置１１の各々に、個々にランダムに選択した質問正答データを送信し、その応答としてユーザ端末装置１１の各々から正答通知データを受信する。
【０１９０】
サーバ装置１２はユーザ端末装置１１の各々から受信する正答通知データに応じて、ユーザ端末装置１１の各々にクーポンデータとアイテムデータを送信する。その際、アイテムデータはユーザ端末装置１１の各々に関し個別に選択された互いに独立のものであるが、クーポンデータは同じクーポンコードの振られた同じクーポンに関するクーポンデータである。従って、クーポンデータは複数のユーザ端末装置１１の各々に送信されるが、発行済みクーポンテーブル（図５）には、それら複数のクーポンデータに関する１つのデータレコードが登録され、その（端末ＩＤ）に複数の端末ＩＤが格納されることになる。
【０１９１】
なお、（グループ化時間）で指定される時間を過ぎてサーバ装置１２に送信されてきた同じクーポンＩＤを含むクーポン要求データは、異なる単独のユーザ、もしくは異なるグループの複数のユーザのうちの一人からのクーポン要求データとして認識され、それらのユーザには、クイズへの正答を条件に、異なるクーポンコードのクーポンが付与されることになる。従って、同じ店舗の同じテーブルが次々と入れ替わる異なるユーザもしくはユーザのグループにより利用される場合であっても、それらの無関係な複数のユーザ／ユーザグループに対し誤って同じクーポンコードのクーポンが付与されることはない。
【０１９２】
クーポンを獲得したユーザのグループは、飲食を終えた後、レジにて店員にクーポン画像を提示するが、グループ内のいずれか一人がそれを行えばよい。グループで獲得されたクーポンのクーポン画像には、図１７に示すように、クーポンの獲得に参加したユーザの人数に従い、「○○名様まで有効」と表示される。従って、店員は顧客の人数とクーポン画像に表示される人数とが一致することを確認し、クーポンコードを店舗端末装置１３に入力してその有効性を確認した後、クーポンの内容に応じた割引を行う。
【０１９３】
以上が、複数のユーザが１つのクーポンを獲得し使用する場合におけるクーポン配布システム１の動作の補足説明である。
【０１９４】
クーポン配布システム１は、上述のようにクイズにより自社の商品、サービス、企業名などを消費者に広告したい広告主と、広くクーポンを配布して消費者の来店を促したいクーポンの発行者との双方にとって便利な仕組みを提供する。その互恵的な関係をより強める一つの方法として、広告主からクーポン配布システム１の管理事業者に支払われる広告料を、クーポンの発行者に一部還元することが考えられる。
【０１９５】
上記のような広告料の一部還元のための処理として、クーポン配布システム１には、広告主の各々からクーポン配布システム１の管理事業者に支払われるべき広告料の金額（課金額）と、クーポン配布システム１の管理事業者からクーポンの発行者の各々に還元されるべき金額（報酬額）とを自動計算する仕組みが備えられている。
【０１９６】
具体的には、所定の対象期間の末日を過ぎると、サーバ装置１２はクイズ出題ログテーブル（図３）から（出題時刻）が対象期間内であり、（クーポンＩＤ）が空欄でないデータレコードを抽出し、抽出したデータレコードの数をクイズＩＤ毎にカウントし、カウントした数に応じて、クイズＩＤ毎の課金額を所定の算定式に従い算出する。サーバ装置１２は上記のようにクイズＩＤ毎に算出した課金額を、クイズマスターテーブル（図２）のデータに基づき広告主ＩＤ毎に集計し、広告主毎の課金額を算出する。そのように算出された課金額に従い、クーポン配布システム１の管理事業者から各広告主に対する課金処理が行われる。
【０１９７】
それと平行して、所定の対象期間の末日を過ぎると、サーバ装置１２は発行済みクーポンテーブル（図５）から（発行時刻）が対象期間内であるデータレコードを抽出し、抽出したデータレコードの数を、クーポンマスターテーブル（図４）のデータに基づき発行者ＩＤ毎にカウントし、カウントした数に応じて、クーポンの発行者毎の報酬額を算出する。そのように算出された報酬額に従い、クーポン配布システム１の管理事業者からクーポンの各発行者に対する支払処理が行われる。
【０１９８】
［２．変形例］
上述した実施例は本発明の一具体例であって、本発明の技術的思想の範囲内において様々に変形可能である。以下にそれらの変形の例を示す。
【０１９９】
上述したクーポン配布システム１においては、サーバ装置１２からユーザ端末装置１１に対し質問データとともに正答データが送信され、ユーザ端末装置１１においてユーザにより入力された回答を示す回答データと正答データとの照合が行われる構成が採用されている。これに代えて、サーバ装置１２からユーザ端末装置１１への正答データの送信は行われず、ユーザ端末装置１１からサーバ装置１２に回答データが送信され、サーバ装置１２において回答データと正答データの照合が行われる構成が採用されてもよい。
【０２００】
また、上述したクーポン配布システム１においては、クーポンデータがサーバ装置１２からユーザ端末装置１１に送信されユーザ端末装置１１において記憶されることにより、ユーザ端末装置１１に対するクーポンの付与が行われる構成が採用されている。これに代えて、ユーザ端末装置１１にはクーポンデータの送信は行われず、サーバ装置１２においてクーポンデータをユーザ端末装置１１の端末ＩＤに対応付けて記憶することで、ユーザ端末装置１１に対するクーポンの付与が行われる構成が採用されてもよい。
【０２０１】
例えば、クーポン配布システム１における発行済みクーポンテーブル（図５）において、端末ＩＤと発行済みクーポンに関するデータの対応付けが行われているが、そのようなデータの生成をもってクーポンの付与としてもよい。
【０２０２】
その場合、ユーザ端末装置１１にはクーポン画像等のデータが記憶されないため、クーポンの使用時等にユーザ端末装置１１がサーバ装置１２に対しクーポンデータの送信要求を行い、一時的にサーバ装置１２から取得したクーポンデータに従いクーポン画像等を表示することになる。
【０２０３】
また、上述したクーポン配布システム１においては、クーポンの有効期限のチェックがユーザ端末装置１１において行われる構成が採用されているが、サーバ装置１２においてそのチェックが行われる構成が採用されてもよい。その場合、サーバ装置１２からユーザ端末装置１１に対し、例えばプッシュ配信されるメッセージにより、有効期限が迫っているクーポンの通知が行われる。
【０２０４】
また、上述したクーポン配布システム１においては、出題後、１日が経過したクイズの特定と再出題の処理が主としてサーバ装置１２において行われる構成が採用されている。これに代えて、サーバ装置１２で行われるそれらの処理の一部がユーザ端末装置１１において実行される構成が採用されてもよい。例えば、ユーザ端末装置１１において、出題後、１日が経過したクイズの特定が行われる構成が採用されてもよい。
【０２０５】
また、上述したクーポン配布システム１においては、サーバ装置１２からユーザ端末装置１１にプッシュ型の配信により各種メッセージが配信される構成が採用されているが、例えば電子メールなど、他の電子メッセージの配信方法が採用されてもよい。例えば、クイズの正答に伴いサーバ装置１２から送信される案内のメッセージが、ユーザ端末装置１１のユーザの持つ電子メールアドレスに宛てて送信される構成が採用されてもよい。
【０２０６】
また、上述したクーポン配布システム１においては、クーポンの使用時に、店舗の店員が店舗端末装置１３にクーポンコードを入力することで、店舗端末装置１３からサーバ装置１２に店舗ＩＤおよびクーポンコード（クーポンＩＤとともに端末ＩＤを特定するデータとして機能する）が送信され、クーポンの使用ログがサーバ装置１２に記録される構成が採用されている。これに代えて、例えばクーポンの使用に際しユーザ端末装置１１が店舗ＩＤを取得し、ユーザ端末装置１１からサーバ装置１２に対し店舗ＩＤおよび端末ＩＤを送信することで、クーポンの使用ログがサーバ装置１２に記録される構成が採用されてもよい。なお、その場合、例えば店舗に店舗ＩＤを示す二次元コードを配置しておき、ユーザがユーザ端末装置１１でその二次元コードを撮影することで店舗ＩＤを入力可能とすれば、ユーザが店舗ＩＤを入力する手間が簡易化され望ましい。
【０２０７】
また、上述したクーポン配布システム１においては、広告主からクーポン配布システム１の管理事業者に支払われる広告料の一部がクーポンの発行者に一部還元されるものとし、そのための課金額および報酬額の算出が行われる構成が採用されているが、これらの金額の算出は必ずしも行われなくてもよい。例えば、クーポン発行者は通常、クーポンサイトにクーポンを掲載するために掲載料を支払う必要があるが、クーポン配布システム１においてはサイトの運営費が広告主から支払われる広告料で賄われるため、クーポンの掲載料は無料とする、というルールの場合、それだけでもクーポンの発行者にとっては費用負担の軽減となり望ましい。ただし、その場合は報酬額の算出は不要である。
【０２０８】
なお、広告主に対する課金額の算出の根拠とする出題に関し、サーバ装置１２からユーザ端末装置１１に質問データが送信されたことを持って出題とするか、ユーザ端末装置１１において質問の表示が行われたことをもって出題とするか、それともユーザ端末装置１１においてユーザにより正答が入力されたことを持って出題とするか、はいずれであってもよい。
【０２０９】
また、クーポンの発行者に対する報酬額の算出の根拠とするクーポンの付与に関し、サーバ装置１２からユーザ端末装置１１にクーポンデータが送信されたことを持って付与とするか、サーバ装置１２においてクーポンデータが端末ＩＤなどユーザを識別するデータに対応付けて記憶されたことを持って付与とするかは、はいずれであってもよい。
【０２１０】
また、上述したクーポン配布システム１においては、クーポン要求データの受信に伴いサーバ装置１２において行われる質問正答データの選択は基本的にランダムに行われる構成が採用されているが、偶然性を伴う選択方法であれば、他の如何なる方法により質問正答データの選択が行われてもよい。
【０２１１】
例えば、クーポンの属性とクイズの属性とを各々、クーポンマスターテーブルおよびクイズマスターテーブルに記憶しておき、それらの属性に基づき、リクエストされたクーポンとマッチングがよいと判定されるクイズの候補を絞り込んだ後に、それらの中からランダムにユーザ端末装置１１に送信するクイズの選択が行われる構成が採用されてもよい。
【０２１２】
また、ユーザの属性をサーバ装置１２に記憶させておくとともに、クイズの属性をクイズマスターテーブルに記憶しておき、それらの属性に基づき、ユーザとマッチングがよいと判定されるクイズの候補を絞り込んだ後に、それらの中からランダムにユーザ端末装置１１に送信するクイズの選択が行われる構成が採用されてもよい。
【０２１３】
また、上述したクーポン配布システム１においては、質問および正答の通知や回答の入力が表示および文字入力により行われる構成が採用されているが、ユーザ端末装置１１が質問および正答を通知する方法や、それに応じてユーザが回答を入力する方法がそれらに限られず、例えば質問および正答が音によりユーザに対し通知され、ユーザがマイクに向かって発声することにより回答の入力を行うなど、他の方法が採用されてもよい。
【０２１４】
また、上述したクーポン配布システム１の説明においては、クーポンを使用可能な店舗は実店舗であるものとして説明したが、クーポンを使用可能な店舗はＥＣ（Electronic Commerce）サイトなどの仮想的な店舗であってもよい。その場合、クーポンの使用時に、店員に対するクーポン画像の提示、店員によるクーポンコードの入力、といった操作が不要となり、例えば、ユーザ端末装置１１からＥＣサイトに対し直接、クーポンコードの送信が行われ、ＥＣサイトのサーバが店舗端末装置１３の役割を果たすことになる。
【０２１５】
また、上述したクーポン配布システム１において採用されているクイズの形式は一例であって、他の様々な形式のクイズが本発明において採用され得る。また、上述したクーポン配布システム１においては、（質問および）正答の表示を行い、その表示を終了した後に質問の表示を行って回答の入力を促す出題形式が採用されているが、他の様々な出題形式が本発明において採用され得る。
【０２１６】
また、上述したクーポン配布システム１の説明においては、回答データと正答データが完全に一致することで正答と判定されるものとして説明を行ったが、回答と正答との間に一定の揺らぎを許容してもよい。例えば、送り仮名の有無などの差異は一定範囲内で無視して正答と判定するようにしてもよい。
【０２１７】
また、上述したクーポン配布システム１においては、クーポンの付与に伴い、キャラクタを示すアイテムが付与される構成が採用されているが、このアイテムの付与の方法、アイテムの内容、付与するアイテムの利用方法などは様々に変更され得る。例えば、アイテムとしてポイントを付与し、一定数のポイントが貯まったユーザに景品が送付される、といった構成が採用されてもよい。また、例えば、グループで飲食店を訪れたユーザの各々に、トランプのいずれかのカードがアイテムとして付与され、それらのマークが全て揃うと５％ＯＦＦとなり、数が全て揃うと３０％ＯＦＦとなる、といった構成が採用されてもよい。
【０２１８】
また、上述したクーポン配布システム１においては、いずれのクーポンの獲得に関しても区別なくランダムに選択された１つのクイズへの正答が求められる構成が採用されているが、例えばクーポンの価値の大小に応じて、ユーザが正答すべきクイズの数を変化させたり、難易度の異なるクイズを準備しておき、クーポンの価値の大小に応じた難易度のクイズを選択されたりしてもよい。
【０２１９】
例えば、３００円のハンバーガーを５０％ＯＦＦするクーポンと、１０，０００円のディナーコースを３０％ＯＦＦするクーポンとでは、割引額が２０倍も異なる。そのため、後者のクーポンを獲得するためには、例えばより多くのクイズに正答することを要求することで、クーポンの発行者への還元額を高める方が望ましい場合がある。
【０２２０】
また、上述したクーポン配布システム１においては、ユーザ端末装置１１に専用のアプリをインストールし、そのアプリに従ってユーザ端末装置１１がサーバ装置１２との間で各種データの送受信を行う構成が採用されている。それに代えて、例えばユーザ端末装置１１が標準に備えるＷｅｂブラウザ機能を用いて、サーバ装置１２がＷｅｂサイトの形で提供するサービスにアクセスすることで同様のサービスを提供する構成が採用されてもよい。
【０２２１】
なお、上述した実施例およびその変形例の説明において用いた具体的な数値、データ構造、処理の手順等はあくまで具体例であって、本発明を限定するものではない。
【産業上の利用可能性】
【０２２２】
本発明にかかる方法、システム、サーバ装置、端末装置およびプログラムは、クーポンの発行や広告の配信を希望する様々なサービス業において利用可能である。
【符号の説明】
【０２２３】
１…クーポン配布システム、１１…ユーザ端末装置、１２…サーバ装置、１３…店舗端末装置、１９…インターネット
【図１】
0005997823.tif 000002
【図２】
0005997823.tif 000003
【図３】
0005997823.tif 000004
【図４】
0005997823.tif 000005
【図５】
0005997823.tif 000006
【図６】
0005997823.tif 000007
【図７】
0005997823.tif 000008
【図８】
0005997823.tif 000009
【図９】
0005997823.tif 000010
【図１０】
0005997823.tif 000011
【図１１】
0005997823.tif 000012
【図１２】
0005997823.tif 000013
【図１３】
0005997823.tif 000014
【図１４】
0005997823.tif 000015
【図１５】
0005997823.tif 000016
【図１６】
0005997823.tif 000017
【図１７】
0005997823.tif 000018